(57)【要約】  冷蔵、空気調節、ヒートポンプ、又はパワーサイクルシステムにおける混和性を改善する方法であって、冷蔵、空気調節、又はヒートポンプシステムに冷媒組成物を装入することを含み、その冷媒組成物が、少なくとも１つの冷媒と、少なくとも１つのペルフルオロポリエーテル及び少なくとも１つの非フッ化潤滑剤を含む潤滑剤とを含むが、但し、その冷媒組成物が、その組成の範囲にわたって且つ約−４０Ｃ〜約＋６０Ｃの温度の範囲にわたって２つを超える液相を有しないことを条件とする、方法が、本明細書で開示される。また、該冷媒組成物を含有する冷蔵、空気調節、ヒートポンプ、又はパワーサイクルシステムも開示される。【特許請求の範囲】
【請求項１】
冷蔵、空気調節、又はヒートポンプシステムにおける混和性を改善する方法であって、
冷蔵、空気調節、又はヒートポンプシステムに冷媒組成物を装入することを含み、
前記冷媒組成物が、少なくとも１つの冷媒及び潤滑剤を含み、前記潤滑剤が、少なくとも１つのペルフルオロポリエーテル及び少なくとも１つの非フッ化潤滑剤を含むが、但し、前記冷媒組成物が、前記組成物の範囲にわたって且つ約−４０℃〜約＋２００℃の温度の範囲にわたって２つを超える液相を有しないことを条件とし、
前記冷蔵、空気調節、又はヒートポンプシステムが、蒸発器、凝縮器、圧縮機、及び膨張装置を含む、方法。
【請求項２】
前記少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、請求項１に記載の方法。
【請求項３】
前記少なくとも１つの冷媒が、ＨＦＯ−１２３４ｙｆ、トランス−ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらの２つ以上の組み合わせから選択される、請求項１に記載の方法。
【請求項４】
前記ペルフルオロポリエーテルが、４０℃で約５〜約１０００ｍｍ2／ｓ（約５〜約１０００ｃＳｔ）の範囲の粘度を有する、請求項１に記載の方法。
【請求項５】
前記ペルフルオロポリエーテルが、官能化されていない、請求項１に記載の方法。
【請求項６】
前記ペルフルオロポリエーテルの末端基のうちの少なくとも１つが、エステル、ヒドロキシル、アミン、アミド、シアノ、カルボン酸、及びスルホン酸からなる群から選択され官能化された基である、請求項１に記載の方法。
【請求項７】
冷媒対潤滑剤の比率が、９９：１〜１：９９の範囲である、請求項１に記載の方法。
【請求項８】
前記非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらの２つ以上の組み合わせからなる群から選択される、請求項１に記載の方法。
【請求項９】
前記冷媒組成物が、前記組成物の範囲にわたって且つ約−４０℃〜約＋２００℃の温度の範囲にわたって単一液相を有する、請求項１に記載の方法。
【請求項１０】
蒸発器、凝縮器、圧縮機、及び膨張装置を含む冷蔵、空気調節、又はヒートポンプシステムであって、前記冷蔵、空気調節、又はヒートポンプシステムが、少なくとも１つの可燃性冷媒及び潤滑剤を含む冷媒組成物を含有し、前記潤滑剤が、少なくとも１つのペルフルオロポリエーテル及び非フッ化潤滑剤を含むが、但し、前記冷媒組成物が、前記組成物の範囲にわたって且つ約−４０℃〜約＋２００℃の温度の範囲にわたって２つを超える液相を有しないことを条件とする、冷蔵、空気調節、又はヒートポンプシステム。
【請求項１１】
自動車空気調節システムである、請求項１０に記載の冷蔵、空気調節、又はヒートポンプシステム。
【請求項１２】
定置型の冷蔵、空気調節、又はヒートポンプシステムである、請求項１０に記載の冷蔵、空気調節、又はヒートポンプシステム。
【請求項１３】
前記少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、請求項１０に記載の冷蔵、空気調節、又はヒートポンプシステム。
【請求項１４】
前記少なくとも１つの可燃性冷媒が、ＨＦＯ−１２３４ｙｆ、トランス−ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらの２つ以上の組み合わせから選択される、請求項１０に記載の冷蔵、空気調節、又はヒートポンプシステム。
【請求項１５】
前記ペルフルオロポリエーテルが、４０℃で約５〜約１０００ｍｍ2／ｓ（約５〜約１０００ｃＳｔ）の範囲の粘度を有する、請求項１０に記載の冷蔵、空気調節、又はヒートポンプシステム。
【請求項１６】
前記ペルフルオロポリエーテルが、官能化されていない、請求項１０に記載の冷蔵、空気調節、又はヒートポンプシステム。
【請求項１７】
前記ペルフルオロポリエーテルの末端基のうちの少なくとも１つが、エステル、ヒドロキシル、アミン、アミド、シアノ、カルボン酸、及びスルホン酸からなる群から選択される官能化された基である、請求項１０に記載の冷蔵、空気調節、又はヒートポンプシステム。
【請求項１８】
冷媒対潤滑剤の比率が、９９：１〜１：９９の範囲である、請求項１０に記載の冷蔵、空気調節、又はヒートポンプシステム。
【請求項１９】
前記非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらの２つ以上の組み合わせからなる群から選択される、請求項１０に記載の冷蔵、空気調節、又はヒートポンプシステム。
【請求項２０】
前記冷媒組成物が、前記組成物の範囲にわたって且つ約−４０℃〜約＋２００℃の温度の範囲にわたって単一液相を有する、請求項１０に記載の冷蔵、空気調節、又はヒートポンプシステム。
【請求項２１】
パワーサイクルシステムにおける混和性を改善する方法であって、
パワーサイクルシステムに冷媒組成物を装入することを含み、
前記冷媒組成物が、少なくとも１つの冷媒及び潤滑剤を含み、前記潤滑剤が、少なくとも１つのペルフルオロポリエーテル及び少なくとも１つの非フッ化潤滑剤を含むが、但し、前記冷媒組成物が、前記組成物の範囲にわたって且つ約−４０℃〜約＋３００℃の温度の範囲にわたって２つを超える液相を有しないことを条件とし、
前記パワーサイクルシステムが、作動流体加熱ユニット、膨張機、作動流体冷却ユニット、及び圧縮機を含む、方法。
【請求項２２】
前記パワーサイクルシステムが、有機Ｒａｎｋｉｎｅサイクルシステムである、請求項２１に記載の方法。
【請求項２３】
作動流体加熱ユニット、膨張機、作動流体冷却ユニット、及び圧縮機を含むパワーサイクルシステムであって、前記パワーサイクルシステムが、少なくとも１つの冷媒及び潤滑剤を含む冷媒組成物を含有し、前記潤滑剤が、少なくとも１つのペルフルオロポリエーテル及び非フッ化潤滑剤を含むが、但し、前記冷媒組成物が、前記組成物の範囲にわたって且つ約−４０℃〜約＋３００℃の温度の範囲にわたって２つを超える液相を有しないことを条件とする、パワーサイクルシステム。
【請求項２４】
有機Ｒａｎｋｉｎｅサイクルシステムである、請求項２３に記載のパワーサイクルシステム。
【発明の詳細な説明】
【技術分野】
【０００１】
本発明は、冷蔵、空気調節、ヒートポンプ、及びパワーサイクル器具において使用するための冷蔵潤滑剤の混和性を改善する方法に関する。
【背景技術】
【０００２】
冷蔵、空気調節、ヒートポンプ、パワーサイクル、及び他の用途における新たなヒドロフルオロカーボン及びヒドロフルオロオレフィン冷媒とともに使用するための潤滑剤が必要とされる。潤滑剤の混合物は、例えば、ポリオールエステル（ＰＯＥ）、ポリアルキレングリコール（ＰＡＧ）、及び鉱油等の従来の潤滑剤が提供しない特性を提供し得る。フッ化潤滑剤は、特に、低減した燃焼性を有する潤滑剤混合物を開発する能力を提供し得る。しかしながら、ペルフルオロポリエーテルは、冷蔵及び空気調節システムで慣習的に使用される非フッ化潤滑剤と非混和性であることが見出されている。
【０００３】
米国特許第５，２２１，４９４号は、テトラフルオロエタン冷媒を単独の潤滑剤として、及び他の潤滑剤と混合して使用する、冷蔵システムにおけるペルフルオロポリエーテルの潤滑剤としての使用を開示する。この文献は、ペルフルオロポリエーテルの冷媒との混和性に焦点を置くが、ペルフルオロポリエーテルの他の潤滑剤との非混和性を示唆するものはない。
【０００４】
米国特許出願第２００７−０１８７６３９Ａ１号は、蒸気圧縮式冷蔵及び空気調節システムにおけるエネルギー効率及び油戻しを改善する冷媒及び冷媒／潤滑剤混合物におけるペルフルオロポリエーテル（ＰＦＰＥ）添加剤の使用を開示するが、ここでもやはり、ＰＦＰＥの非フッ化潤滑剤との非混和性を認識できていない。
【先行技術文献】
【特許文献】
【０００５】
【特許文献１】米国特許第５，２２１，４９４号
【特許文献２】米国特許出願第２００７−０１８７６３９Ａ１号
【発明の概要】
【課題を解決するための手段】
【０００６】
ペルフルオロポリエーテル（ＰＦＰＥ）潤滑剤と非フッ化潤滑剤との非混和性混合物への冷媒の添加が、その混和性を改善し、これにより、有効量のＰＦＰＥの冷媒との使用が、改善した熱安定性を提供し、例えば、冷蔵、空気調節、ヒートポンプ、又はパワーサイクルシステムからの可燃性冷媒の漏出の事象における出火の危険性を低減させることが見出されている。
【０００７】
故に、本発明に従って、冷蔵、空気調節、又はヒートポンプシステムにおける混和性を改善する方法であって、
冷蔵、空気調節、又はヒートポンプシステムに冷媒組成物を装入することを含み、
その冷媒組成物が、少なくとも１つの冷媒及び潤滑剤を含み、その潤滑剤が、少なくとも１つのペルフルオロポリエーテル及び少なくとも１つの非フッ化潤滑剤を含むが、但し、冷媒組成物が、組成の範囲にわたって且つ約−４０℃〜約＋２００℃の温度の範囲にわたって２つを超える液相を有しないことを条件とし、
冷蔵、空気調節、又はヒートポンプシステムが、蒸発器、凝縮器、圧縮機、及び膨張装置を含む、方法が提供される。別の実施形態では、冷媒組成物は、約−４０℃〜約＋１６０℃の温度の範囲にわたって２つを超える液相を有しない。
【０００８】
加えて、本発明に従って、蒸発器、凝縮器、圧縮機、及び膨張装置を含む冷蔵、空気調節、又はヒートポンプシステムであって、その冷蔵又は空気調節システムが、少なくとも１つの可燃性冷媒及び潤滑剤を含む冷媒組成物を含有し、その潤滑剤が、少なくとも１つのペルフルオロポリエーテル及び非フッ化潤滑剤を含むが、但し、冷媒組成物が、組成の範囲にわたって且つ約−４０℃〜約＋２００℃の温度の範囲にわたって２つを超える液相を有しないことを条件とする、冷蔵、空気調節、又はヒートポンプシステムが提供される。別の実施形態では、そのシステムは、約−４０℃〜約＋１６０℃の温度の範囲にわたって２つを超える液相を有しない。
【０００９】
また、本発明に従って、パワーサイクルシステムにおける混和性を改善する方法であって、
パワーサイクルシステムに冷媒組成物を装入することを含み、
その冷媒組成物が、少なくとも１つの冷媒及び潤滑剤を含み、その潤滑剤が、少なくとも１つのペルフルオロポリエーテル及び少なくとも１つの非フッ化潤滑剤を含むが、但し、冷媒組成物が、組成の範囲にわたって且つ約−４０℃〜約＋３００℃、−４０℃〜約＋２５０℃、−４０℃〜約＋１０５℃、又は−４０℃〜約＋６０℃の温度の範囲にわたって２つを超える液相を有しないことを条件とし、パワーサイクルシステムが、作動流体加熱ユニット、膨張機、作動流体冷却ユニット、及び圧縮機を含む、方法も提供される。
【００１０】
また、本発明に従って、作動流体加熱ユニット、膨張機、作動流体冷却ユニット、及び圧縮機を含むパワーサイクルシステムであって、そのパワーサイクルシステムが、少なくとも１つの冷媒及び潤滑剤を含む冷媒組成物を含有し、その潤滑剤が、少なくとも１つのペルフルオロポリエーテル及び非フッ化潤滑剤を含むが、但し、冷媒組成物が、組成の範囲にわたって且つ約−４０℃〜約＋３００℃、−４０℃〜約＋２５０℃、−４０℃〜約＋１０５℃、又は−４０℃〜約＋６０℃の温度の範囲にわたって２つを超える液相を有しないことを条件とする、パワーサイクルシステムも提供される。
【発明を実施するための形態】
【００１１】
ペルフルオロポリエーテル（ＰＦＰＥ）と非フッ化潤滑剤との混合物を冷媒と一緒に使用することが望ましい。ＰＦＰＥ、非フッ化潤滑剤、及び冷媒を含む冷媒組成物が冷蔵、空気調節、ヒートポンプ、及びパワーサイクルシステムにおいて十分に機能するためには、成分の間にある程度測定可能なレベルの混和性がなければならない。
【００１２】
このため、冷蔵、空気調節、又はヒートポンプシステムにおける混和性を改善する方法であって、
冷蔵、空気調節、又はヒートポンプシステムに冷媒組成物を装入することを含み、
その冷媒組成物が、少なくとも１つの冷媒及び潤滑剤を含み、その潤滑剤が、少なくとも１つのペルフルオロポリエーテル及び少なくとも１つの非フッ化潤滑剤を含むが、但し、冷媒組成物が、組成の範囲にわたって且つ約−４０℃〜約＋２００℃、−４０℃〜約＋１６０℃、−４０℃〜約＋１０５℃、又は−４０℃〜約＋６０℃の温度の範囲にわたって２つを超える液相を有しないことを条件とし、
冷蔵、空気調節、又はヒートポンプシステムが、蒸発器、凝縮器、圧縮機、及び膨張装置を含む、方法が提供される。
【００１３】
また、本発明に従って、パワーサイクルシステムにおける混和性を改善する方法であって、
パワーサイクルシステムに冷媒組成物を装入することを含み、
その冷媒組成物が、少なくとも１つの冷媒及び潤滑剤を含み、その潤滑剤が、少なくとも１つのペルフルオロポリエーテル及び少なくとも１つの非フッ化潤滑剤を含むが、但し、冷媒組成物が、組成の範囲にわたって且つ約−４０℃〜約＋３００℃、−４０℃〜約＋２５０℃、−４０℃〜約＋１０５℃、又は−４０℃〜約＋６０℃の温度の範囲にわたって２つを超える液相を有しないことを条件とし、そのパワーサイクルシステムが、作動流体加熱ユニット、膨張機、作動流体冷却ユニット、及び圧縮機を含む、方法も提供される。
【００１４】
冷蔵、空気調節、ヒートポンプ、及びパワーサイクルシステムにおける混和性を改善する方法のいくつかの実施形態では、少なくとも１つの冷媒は、飽和又は不飽和炭化水素を含む。飽和及び不飽和炭化水素には、特にプロピレン、プロパン、シクロプロパン、イソブテン、ｎ−ブタン、２−メチルブタン、及びｎ−ペンタンが含まれる。これらの炭化水素は全て、種々の化学物質供給業者から市販されている。
【００１５】
本方法のいくつかの実施形態では、少なくとも１つの冷媒は、飽和フルオロカーボンを含む。飽和フルオロカーボンには、特に、ジフルオロメタン（ＨＦＣ−３２）、１，１，２，２−テトラフルオロエタン（ＨＦＣ−１３４）、１，１，１，２−テトラフルオロエタン（ＨＦＣ−１３４ａ）、ペンタフルオロエタン（ＨＦＣ−１２５）、ジフルオロエタン（ＨＦＣ−１５２ａ）、フルオロエタン（ＨＦＣ−１６１）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，２，３−ペンタフルオロプロパン（ＨＦＣ−２４５ｅｂ）、及び１，１，１，２，２−ペンタフルオロプロパン（ＨＦＣ−２４５ｃｂ）が含まれる。これらのフルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。
【００１６】
本方法のいくつかの実施形態では、少なくとも１つの冷媒は、不飽和フルオロカーボンを含む。不飽和フルオロカーボンには、特に、２，３，３，３−テトラフルオロプロペン（ＨＦＯ−１２３４ｙｆ）、１，３，３，３−テトラフルオロプロペン（ＨＦＯ−１２３４ｚｅ、具体的には、トランス−ＨＦＯ−１２３４ｚｅ）、３，３，３−トリフルオロプロペン（ＨＦＯ−１２４３ｚｆ）、Ｚ−１，１，１，４，４，４−ヘキサフルオロ−２−ブテン（Ｚ−ＨＦＯ−１３３６ｍｚｚ）、Ｅ−１，１，１，４，４，４−ヘキサフルオロ−２−ブテン（Ｅ−ＨＦＯ−１３３６ｍｚｚ）、Ｅ−１−クロロ−３，３，３−トリフルオロ−プロペン（Ｅ−ＨＣＦＯ−１２３３ｚｄ）が含まれる。これらの不飽和フルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。
【００１７】
本方法の１つの実施形態では、少なくとも１つの冷媒は、ＨＦＯ−１２３４ｙｆ、トランス−ＨＦＯ−１２３４ｚｅ、ＨＦＯ−１２４３ｚｆ、ＨＦＣ−３２、ＨＦＣ−１５２ａ、ＨＦＣ−１６１、及びそれらのうちの２つ以上の組み合わせから選択される。別の実施形態では、少なくとも１つの冷媒は、ＨＦＯ−１２３４ｙｆを含む。別の実施形態では、少なくとも１つの冷媒は、トランス−ＨＦＯ−１２３４ｚｅを含む。別の実施形態では、少なくとも１つの化合物は、ＨＦＣ−３２を含む。別の実施形態では、少なくとも１つの化合物は、ＨＦＣ−１５２ａを含む。
【００１８】
１つの実施形態では、冷媒組成物は、可燃性冷媒を含む。
【００１９】
燃焼性は、発火する及び／又は炎を伝播させる組成物の能力を意味するように使用される用語である。冷媒に関して、冷媒組成物と空気との均質混合物が炎を伝播することができるかどうかを決定するために、ＡＳＴＭ（Ａｍｅｒｉｃａｎ  Ｓｏｃｉｅｔｙ  ｏｆ  Ｔｅｓｔｉｎｇ  ａｎｄ  Ｍａｔｅｒｉａｌｓ）Ｅ−６８１に定められている条件下での試験が必要とされる。
【００２０】
本発明の可燃性冷媒は、上述の試験条件下では可燃性と分類された。
【００２１】
混和性を改善する方法のいくつかの実施形態では、少なくとも１つの可燃性冷媒は、飽和又は不飽和炭化水素を含む。飽和及び不飽和炭化水素には、特にプロピレン、プロパン、シクロプロパン、イソブテン、ｎ−ブタン、２−メチルブタン、及びｎ−ペンタンが含まれる。これらの炭化水素は全て、種々の化学物質供給業者から市販されている。
【００２２】
本方法のいくつかの実施形態では、少なくとも１つの可燃性冷媒は、飽和フルオロカーボンを含む。飽和フルオロカーボンには、特にジフルオロメタン（ＨＦＣ−３２）、ジフルオロエタン（ＨＦＣ−１５２ａ）、及びフルオロエタン（ＨＦＣ−１６１）が含まれる。これらのフルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。
【００２３】
本方法のいくつかの実施形態では、少なくとも１つの可燃性冷媒は、不飽和フルオロカーボンを含む。不飽和フルオロカーボンには、特に、２，３，３，３−テトラフルオロプロペン（ＨＦＯ−１２３４ｙｆ）、１，３，３，３−テトラフルオロプロペン（ＨＦＯ−１２３４ｚｅ、具体的には、トランス−ＨＦＯ−１２３４ｚｅ）、及び３，３，３−トリフルオロプロペン（ＨＦＯ−１２４３ｚｆ）が含まれる。これらの不飽和フルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。本方法の１つの実施形態では、少なくとも１つの可燃性冷媒は、ＨＦＯ−１２３４ｙｆ、トランス−ＨＦＯ−１２３４ｚｅ、ＨＦＯ−１２４３ｚｆ、ＨＦＣ−３２、ＨＦＣ−１５２ａ、ＨＦＣ−１６１、及びそれらのうちの２つ以上の組み合わせから選択される。別の実施形態では、少なくとも１つの可燃性冷媒は、ＨＦＯ−１２３４ｙｆを含む。別の実施形態では、少なくとも１つの可燃性冷媒は、トランス−ＨＦＯ−１２３４ｚｅを含む。別の実施形態では、少なくとも１つの可燃性化合物は、ＨＦＣ−３２を含む。別の実施形態では、少なくとも１つの可燃性化合物は、ＨＦＣ−１５２ａを含む。
【００２４】
本明細書で開示される冷媒組成物は、少なくとも１つのペルフルオロポリエーテルを含む。ペルフルオロポリエーテルポリマーのペルフルオロアルキルエーテル部分は、少なくとも２つの末端基を有する。１つの実施形態では、直鎖ペルフルオロポリエーテルは、少なくとも２つの末端基を有する。別の実施形態では、ペルフルオロポリエーテルは、２つの末端基を有する。他の実施形態では、ペルフルオロポリエーテルは、３つ以上の末端基を有する。ペルフルオロポリエーテルは、ペルフルオロポリアルキルエーテルと同義であり得る。ペルフルオロポリエーテルを意味する頻繁に使用される他の用語には、「ＰＦＰＥ」、「ＰＦＡＥ」、「ＰＦＰＥ油」、「ＰＦＰＥ流体」、及び「ＰＦＰＡＥ」が含まれる。
【００２５】
いくつかの実施形態では、ペルフルオロポリエーテルは、ＣＦ3−（ＣＦ2）2−Ｏ−［ＣＦ（ＣＦ3）−ＣＦ2−Ｏ］ｊ−Ｒ’ｆの式を有するか、又はＦ−（ＣＦ（ＣＦ3）ＣＦ2−Ｏ）nＣＦ2ＣＦ3は、Ｋｒｙｔｏｘ（登録商標）の商標でＤｕＰｏｎｔ（Ｗｉｌｍｉｎｇｔｏｎ，Ｄｅｌａｗａｒｅ，ＵＳＡ）から市販されている。直前の式において、ｊは、２〜１００であり、ｎは、９〜６０（境界値も含む）であり、Ｒ’ｆは、ＣＦ2ＣＦ3、Ｃ３〜Ｃ６ペルフルオロアルキル基又はそれらの組み合わせである。
【００２６】
それぞれ、Ｆｏｍｂｌｉｎ（登録商標）及びＧａｌｄｅｎ（登録商標）の商標でＭｉｌａｎ，ＩｔａｌｙのＡｕｓｉｍｏｎｔ及びＭｉｌａｎ，ＩｔａｌｙのＭｏｎｔｅｄｉｓｏｎ  Ｓ．ｐ．Ａから市販されており、ペルフルオロオレフィン光酸化によって生成される、他のＰＦＰＥも使用することができる。Ｆｏｍｂｌｉｎ（登録商標）−Ｙの商標で市販されているＰＦＰＥは、ＣＦ3Ｏ（ＣＦ2ＣＦ（ＣＦ3）−Ｏ−）m（ＣＦ2−Ｏ−）n−Ｒ1fの式を有し得る。また、ＣＦ3Ｏ［ＣＦ2ＣＦ（ＣＦ3）Ｏ］m（ＣＦ2ＣＦ2Ｏ）o（ＣＦ2Ｏ）n−Ｒ1fも好適である。式、Ｒ1fは、ＣＦ3、Ｃ2Ｆ5、Ｃ3Ｆ7、又はそれらのうちの２つ以上の組み合わせであり、ｍ、ｎ、及びｏは整数又は分数であり得、（ｍ＋ｎ）は８〜４５（境界値も含む）であり、ｍ／ｎは２０〜１０００（境界値も含む）であり、ｏは１であり、（ｍ＋ｎ＋ｏ）は８〜４５（境界値も含む）であり、ｍ／ｎは２０〜１０００（境界値も含む）である。
【００２７】
Ｆｏｍｂｌｉｎ（登録商標）−Ｚの商標で市販されているＰＦＰＥは、ＣＦ3Ｏ（ＣＦ2ＣＦ2−Ｏ−）p（ＣＦ2−Ｏ）qＣＦ3の式を有し得、式中、（ｐ＋ｑ）は４０〜１８０であり、ｐ／ｑは０．５〜２（境界値も含む）である。
【００２８】
Ｄａｉｋｉｎ  Ｉｎｄｕｓｔｒｉｅｓ，ＪａｐａｎからＤｅｍｎｕｍ（商標）の商標で市販されているＰＦＰＥの別のファミリーも使用することができる。Ｆ−［（ＣＦ2）3−Ｏ］t−Ｒ2fの式をもたらす２，２，３，３−テトラフルオロオキセタンの連続するオリゴマー化及びフッ化によって生成することができ、式中、Ｒ2fは、ＣＦ3、Ｃ2Ｆ5、又はそれらの組み合わせであり、ｔは２〜２００（境界値も含む）である。
【００２９】
いくつかの実施形態では、ＰＦＰＥは、官能化されていない。非官能化ペルフルオロポリエーテルでは、末端基は、分岐鎖又は直鎖ペルフルオロアルキルラジカル末端基であり得る。そのようなペルフルオロポリエーテルの例は、ＣrＦ(2r+1)−Ａ−ＣrＦ(2r+1)式を有し得、式中、各ｒは独立して、３〜６であり、Ａは、Ｏ−（ＣＦ（ＣＦ3）ＣＦ2−Ｏ）w、Ｏ−（ＣＦ2−Ｏ）x（ＣＦ2ＣＦ2−Ｏ）y、Ｏ−（Ｃ2Ｆ4−Ｏ）w、Ｏ−（Ｃ2Ｆ4−Ｏ）x（Ｃ3Ｆ6−Ｏ）y、Ｏ−（ＣＦ（ＣＦ3）ＣＦ2−Ｏ）x（ＣＦ2−Ｏ）y、Ｏ−（ＣＦ2ＣＦ2ＣＦ2−Ｏ）w、Ｏ−（ＣＦ（ＣＦ3）ＣＦ2−Ｏ）x（ＣＦ2ＣＦ2−Ｏ）y−（ＣＦ2−Ｏ）z、又はそれらのうちの２つ以上の組み合わせであり得る。いくつかの実施形態では、Ａは、Ｏ−（ＣＦ（ＣＦ3）ＣＦ2−Ｏ）w、Ｏ−（Ｃ2Ｆ4−Ｏ）w、Ｏ−（Ｃ2Ｆ4−Ｏ）x（Ｃ3Ｆ6−Ｏ）y、Ｏ−（ＣＦ2ＣＦ2ＣＦ2−Ｏ）w、又はそれらのうちの２つ以上の組み合わせであり、ｗは４〜１００であり、ｘ及びｙはそれぞれ独立して、１〜１００である。具体的な例としては、Ｆ（ＣＦ（ＣＦ3）−ＣＦ2−Ｏ）9−ＣＦ2ＣＦ3、Ｆ（ＣＦ（ＣＦ3）−ＣＦ2−Ｏ）9−ＣＦ（ＣＦ3）2、及びそれらの組み合わせが挙げられるが、これらに限定されない。そのようなＰＦＰＥでは、ハロゲン原子の最大３０％は、例えば、塩素原子等のフッ素以外のハロゲンであってもよい。
【００３０】
官能化ＰＦＰＥは、ペルフルオロポリエーテルの末端基のうちの少なくとも１つが、エステル、ヒドロキシル、アミン、アミド、シアノ、カルボン酸、スルホン酸、又はそれらの組み合わせから選択される基によって置換されたそのハロゲン原子のうちの少なくとも１つを有する、ＰＦＰＥである。他の実施形態では、ペルフルオロポリエーテルの２つの末端基は独立して、同じ又は異なる基によって官能化される。１つの実施形態では、ペルフルオロポリエーテルの末端基のうちの少なくとも１つは、カルボン酸である。１つの実施形態では、ペルフルオロポリエーテルの末端基のうちの少なくとも１つは、スルホン酸である。
【００３１】
いくつかの実施形態では、代表的なエステル末端基には、−ＣＯＯＣＨ3、−ＣＯＯＣＨ2ＣＨ3、−ＣＦ2ＣＯＯＣＨ3、−ＣＦ2ＣＯＯＣＨ2ＣＨ3、−ＣＦ2ＣＦ2ＣＯＯＣＨ3、−ＣＦ2ＣＦ2ＣＯＯＣＨ2ＣＨ3、−ＣＦ2ＣＨ2ＣＯＯＣＨ3、−ＣＦ2ＣＦ2ＣＨ2ＣＯＯＣＨ3、−ＣＦ2ＣＨ2ＣＨ2ＣＯＯＣＨ3、−ＣＦ2ＣＦ2ＣＨ2ＣＨ2ＣＯＯＣＨ3が含まれる。
【００３２】
いくつかの実施形態では、代表的なヒドロキシル末端基には、−ＣＦ2ＯＨ、−ＣＦ2ＣＦ2ＯＨ、−ＣＦ2ＣＨ2ＯＨ、−ＣＦ2ＣＦ2ＣＨ2ＯＨ、−ＣＦ2ＣＨ2ＣＨ2ＯＨ、−ＣＦ2ＣＦ2ＣＨ2ＣＨ2ＯＨが含まれる。
【００３３】
いくつかの実施形態では、代表的なアミン末端基には、−ＣＦ2ＮＲ1Ｒ2、−ＣＦ2ＣＦ2ＮＲ1Ｒ2、−ＣＦ2ＣＨ2ＮＲ1Ｒ2、−ＣＦ2ＣＦ2ＣＨ2ＮＲ1Ｒ2、−ＣＦ2ＣＨ2ＣＨ2ＮＲ1Ｒ2、−ＣＦ2ＣＦ2ＣＨ2ＣＨ2ＮＲ1Ｒ2が含まれ、式中、Ｒ1及びＲ2は独立して、Ｈ、ＣＨ3、又はＣＨ2ＣＨ3である。
【００３４】
いくつかの実施形態では、代表的なアミド末端基には、−ＣＦ2Ｃ（Ｏ）ＮＲ1Ｒ2、−ＣＦ2ＣＦ2Ｃ（Ｏ）ＮＲ1Ｒ2、−ＣＦ2ＣＨ2Ｃ（Ｏ）ＮＲ1Ｒ2、−ＣＦ2ＣＦ2ＣＨ2Ｃ（Ｏ）ＮＲ1Ｒ2、−ＣＦ2ＣＨ2ＣＨ2Ｃ（Ｏ）ＮＲ1Ｒ2、−ＣＦ2ＣＦ2ＣＨ2ＣＨ2Ｃ（Ｏ）ＮＲ1Ｒ2が含まれ、式中、Ｒ1及びＲ2は独立して、Ｈ、ＣＨ3、又はＣＨ2ＣＨ3である。
【００３５】
いくつかの実施形態では、代表的なシアノ末端基には、−ＣＦ2ＣＮ、−ＣＦ2ＣＦ2ＣＮ、−ＣＦ2ＣＨ2ＣＮ、−ＣＦ2ＣＦ2ＣＨ2ＣＮ、−ＣＦ2ＣＨ2ＣＨ2ＣＮ、−ＣＦ2ＣＦ2ＣＨ2ＣＨ2ＣＮが含まれる。
【００３６】
いくつかの実施形態では、代表的なカルボン酸末端基には、−ＣＦ2ＣＯＯＨ、−ＣＦ2ＣＦ2ＣＯＯＨ、−ＣＦ2ＣＨ2ＣＯＯＨ、−ＣＦ2ＣＦ2ＣＨ2ＣＯＯＨ、−ＣＦ2ＣＨ2ＣＨ2ＣＯＯＨ、−ＣＦ2ＣＦ2ＣＨ2ＣＨ2ＣＯＯＨが含まれる。
【００３７】
いくつかの実施形態では、スルホン酸末端基は、−Ｓ（Ｏ）（Ｏ）ＯＲ3、−Ｓ（Ｏ）（Ｏ）Ｒ4、−ＣＦ2ＯＳ（Ｏ）（Ｏ）ＯＲ3、
−ＣＦ2ＣＦ2ＯＳ（Ｏ）（Ｏ）ＯＲ3、−ＣＦ2ＣＨ2ＯＳ（Ｏ）（Ｏ）ＯＲ3、−ＣＦ2ＣＦ2ＣＨ2ＯＳ（Ｏ）（Ｏ）ＯＲ3、−ＣＦ2ＣＨ2ＣＨ2ＯＳ（Ｏ）（Ｏ）ＯＲ3、−ＣＦ2ＣＦ2ＣＨ2ＣＨ2ＯＳ（Ｏ）（Ｏ）ＯＲ3、−ＣＦ2Ｓ（Ｏ）（Ｏ）ＯＲ3、−ＣＦ2ＣＦ2Ｓ（Ｏ）（Ｏ）ＯＲ3、−ＣＦ2ＣＨ2Ｓ（Ｏ）（Ｏ）ＯＲ3、
−ＣＦ2ＣＦ2ＣＨ2Ｓ（Ｏ）（Ｏ）ＯＲ3、−ＣＦ2ＣＨ2ＣＨ2Ｓ（Ｏ）（Ｏ）ＯＲ3、
−ＣＦ2ＣＦ2ＣＨ2ＣＨ2Ｓ（Ｏ）（Ｏ）ＯＲ3、−ＣＦ2ＯＳ（Ｏ）（Ｏ）Ｒ4、−ＣＦ2ＣＦ2ＯＳ（Ｏ）（Ｏ）Ｒ4、
−ＣＦ2ＣＨ2ＯＳ（Ｏ）（Ｏ）Ｒ4、−ＣＦ2ＣＦ2ＣＨ2ＯＳ（Ｏ）（Ｏ）Ｒ4、−ＣＦ2ＣＨ2ＣＨ2ＯＳ（Ｏ）（Ｏ）Ｒ4、−ＣＦ2ＣＦ2ＣＨ2ＣＨ2ＯＳ（Ｏ）（Ｏ）Ｒ4からなる群から選択され、式中、Ｒ3はＨ、ＣＨ3、ＣＨ2ＣＨ3、ＣＨ2ＣＦ3、ＣＦ3、又はＣＦ2ＣＦ3であり、Ｒ4はＣＨ3、ＣＨ2ＣＨ3、ＣＨ2ＣＦ3、ＣＦ3、又はＣＦ2ＣＦ3である。
【００３８】
本方法のいくつかの実施形態では、ペルフルオロポリエーテルは、４０℃で約５〜約１０００平方ミリメートル毎秒（ｍｍ2／ｓ）（約５〜約１０００センチストーク（ｃＳｔ））の範囲の粘度を有する。別の実施形態では、ペルフルオロポリエーテルは、４０℃で約２０〜約１００ｍｍ2／ｓ（約２０〜約１００ｃＳｔ）の範囲の粘度を有する。別の実施形態では、ペルフルオロポリエーテルは、４０℃で約２０〜約８０ｍｍ2／ｓ（約２０〜約８０ｃＳｔ）の範囲の粘度を有する。粘度は、ガラス毛細管粘度計を使用して決定され、ＡＳＴＭ  Ｄ−４４５により測定され得る。
【００３９】
非フッ化潤滑剤には、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせが含まれる。
【００４０】
１つの実施形態では、非フッ化潤滑剤は、ポリアルキレングリコールである。別の実施形態では、非フッ化潤滑剤は、ポリオールエステルである。別の実施形態では、非フッ化潤滑剤は、ポリビニルエーテルである。
【００４１】
本方法のいくつかの実施形態では、本発明の非フッ化潤滑剤には、パラフィン（即ち、直鎖及び分岐炭素鎖飽和炭化水素）及びナフテン（即ち、環状パラフィン）が含まれるが、これらに限定されない、鉱油を含む。更に、非フッ化潤滑剤は、アルキルベンゼン等の芳香族（即ち、交互二重結合によって特徴付けられる１つ以上の環を含有する不飽和環状炭化水素）を含む。本発明の潤滑剤は、アルキルアリール（即ち、直鎖及び分岐鎖アルキルアルキルベンゼン）及びポリ（アルファオレフィン）として一般的に知られるものを更に含む。
【００４２】
本発明の代表的な潤滑剤は、ＢＶＭ  １００Ｎ（ＢＶＡ  Ｏｉｌｓによって販売されているパラフィン系鉱油）、Ｓｕｎｉｓｏ（登録商標）３ＧＳ、Ｓｕｎｉｓｏ（登録商標）４ＧＳ、及びＳｕｎｉｓｏ（登録商標）５ＧＳの商標で販売される潤滑剤（Ｓｏｎｎｅｂｏｒｎ，Ｐａｒｓｉｐｐａｎｙ，ＮＪ，ＵＳＡによって販売されているナフタン系鉱油）、Ｓｏｎｔｅｘ（登録商標）３７２ＬＴの商標で販売される潤滑剤（Ｐｅｎｎｚｏｉｌによって販売されているナフタン系鉱油）、Ｃａｌｕｍｅｔ（登録商標）ＲＯ−３０の商標で販売されている潤滑剤（Ｃａｌｕｍｅｔ  Ｌｕｂｒｉｃａｎｔｓ，Ｉｎｄｉａｎａｐｏｌｉｓ，Ｉｎｄｉａｎａ，ＵＳＡによって販売されているナフタン系鉱油）、Ｚｅｒｏｌ（登録商標）７５、Ｚｅｒｏｌ（登録商標）１５０、Ｚｅｒｏｌ（登録商標）２００、及びＺｅｒｏｌ（登録商標）５００の商標で販売される潤滑剤（Ｓｈｒｉｅｖｅ  Ｃｈｅｍｉｃａｌｓによって販売されている直鎖アルキルベンゼン）、並びにＨＡＢ  ２２（Ｎｉｐｐｏｎ  Ｏｉｌによって販売されている分岐鎖アルキルベンゼン）等の潤滑剤である。炭化水素系の潤滑剤は、好ましくは鉱油である。
【００４３】
他の実施形態では、非フッ化潤滑剤には、Ｃａｓｔｒｏｌ（Ｕｎｉｔｅｄ  Ｋｉｎｇｄｏｍ）によりＣａｓｔｒｏｌ（登録商標）１００の商標で、Ｃｏｐｅｌａｎｄ  ＣｏｒｐｏｒａｔｉｏｎによりＵｌｔｒａ  ２２ＣＣ（登録商標）の商標で、又はＬｕｂｒｉｚｏｌからＥｍｋａｒａｔｅ（登録商標）の商標で、販売されているＰＯＥ等ポリオールエステル（ＰＯＥ）、Ｄｏｗ  Ｃｈｅｍｉｃａｌ（Ｍｉｄｌａｎｄ，Ｍｉｃｈｉｇａｎ）からのＲＬ−４８８Ａ及びＰＡＧ  ＰＳＤ１（ＡＣＤｅｌｃｏ，Ｇｒａｎｄ  Ｂｌａｎｃ，Ｍｉｃｈｉｇａｎから入手可能）等のポリアルキレングリコール（ＰＡＧ）、ポリビニルエーテル（ＰＶＥ）、シリコーン、並びにＭｉｔｓｕｉ＆Ｃｏ．，Ｌｔｄ．（Ｔｏｋｙｏ，Ｊａｐａｎ）からのＭＡ２３２０Ｆ等のポリカーボネート（ＰＣ）が含まれるが、これらに限定されない。
【００４４】
混和性を改善する方法において、冷媒対合計潤滑剤（ＰＦＰＥプラス非フッ化潤滑剤）の比率は、９９：１〜１：９９の範囲であり得る。本方法の別の実施形態では、冷媒対合計潤滑剤の比率は、９５：５〜５：９５の範囲であり得る。本方法の別の実施形態では、冷媒対合計潤滑剤の比率は、２８：７２〜１：９９の範囲であり得る。本方法の別の実施形態では、冷媒対潤滑剤の比率は、９９．９：０．１〜７５：２５の範囲であり得る。
【００４５】
混和性を改善する方法において、ペルフルオロポリエーテル対非フッ化潤滑剤の比率は、約５：９５〜９９：１の範囲である。別の実施形態では、ペルフルオロポリエーテル対非フッ化潤滑剤の比率は、約１０：９０〜９９：１の範囲である。別の実施形態では、ペルフルオロポリエーテル対非フッ化潤滑剤の比率は、約１０：９０〜７５：２５の範囲である。別の実施形態では、ペルフルオロポリエーテル対非フッ化潤滑剤の比率は、約２０：８０〜５０：５０の範囲である。別の実施形態では、ペルフルオロポリエーテル対非フッ化潤滑剤の比率は、約５：９５〜２０：８０の範囲である。
【００４６】
ある特定の実施形態では、冷媒組成物は、組成の範囲にわたって且つ約−４０℃〜約＋１０５℃の温度の範囲にわたって２つを超える液相を有しない。他の実施形態では、冷媒組成物は、組成の範囲にわたって且つ約−４０℃〜約＋６０℃の温度の範囲にわたって２つを超える液相を有しない。他の実施形態では、冷媒組成物は、組成の範囲にわたって且つ約−２５℃〜約＋４０℃の温度の範囲にわたって２つを超える液相を有しない。他の実施形態では、冷媒組成物は、組成の範囲にわたって且つ約−１０℃〜約＋４０℃の温度の範囲にわたって２つを超える液相を有しない。別の実施形態では、冷媒組成物は、組成の範囲にわたって且つ約＋４℃〜約＋４０℃の温度の範囲にわたって２つを超える液相を有しない。別の実施形態では、冷媒組成物は、組成の範囲にわたって且つ約＋５℃〜約＋２５℃の温度の範囲にわたって２つを超える液相を有しない。他の実施形態では、冷媒組成物は、組成の範囲にわたって且つ約−４０℃〜約＋２００℃の温度の範囲にわたって２つを超える液相を有しない。他の実施形態では、冷媒組成物は、組成の範囲にわたって且つ約−４０℃〜約＋１６０℃の温度の範囲にわたって２つを超える液相を有しない。
【００４７】
いくつかの実施形態では、冷媒組成物の混和性は、より大きな範囲まで改善され、１相又は単相のみがシステム内に存在する。したがって、本方法の１つの実施形態では、冷媒組成物は、組成の範囲にわたって且つ約−４０℃〜約＋１０５℃の温度の範囲にわたって単一液相を有する。本方法の他の実施形態では、冷媒組成物は、組成の範囲にわたって且つ約−４０℃〜約＋６０℃の温度の範囲にわたって単一層を有する。本方法の別の実施形態では、冷媒組成物は、組成の範囲にわたって且つ約−２５℃〜約＋４０℃の温度の範囲にわたって単一液相を有する。本方法の別の実施形態では、冷媒組成物は、組成の範囲にわたって且つ約−２０℃〜約＋４０℃の温度の範囲にわたって単一液相を有する。本方法の別の実施形態では、冷媒組成物は、組成の範囲にわたって且つ約−１０℃〜約＋４０℃の温度の範囲にわたって単一液相を有する。本方法の別の実施形態では、冷媒組成物は、組成の範囲にわたって且つ約＋４℃〜約＋４０℃の温度の範囲にわたって単一液相を有する。本方法の別の実施形態では、冷媒組成物は、組成の範囲にわたって且つ約＋５℃〜約＋２５℃の温度の範囲にわたって単一液相を有する。本方法の他の実施形態では、冷媒組成物は、組成の範囲にわたって且つ約−４０℃〜約＋２００℃の温度の範囲にわたって単一液相を有する。他の実施形態では、冷媒組成物は、組成の範囲にわたって且つ約−４０℃〜約＋１６０℃の温度の範囲にわたって単一液相を有する。
【００４８】
特に高温ヒートポンプに関して、冷媒組成物は、より高い温度範囲を必要とし、したがって、冷媒組成物は、約−４０℃〜約＋２００℃又は約−４０℃〜約＋１６０℃の温度範囲にわたって２つを超える液相を有しない場合がある。あるいは、高温度ヒートポンプに関して、冷媒組成物は、約−４０℃〜約＋２００℃又は約−４０℃〜約＋１６０℃の温度の範囲にわたって単一液相を有する。
【００４９】
本発明の方法はまた、所望に応じて、性能及びシステム安定性を強化するためにある特定の冷蔵、空気調節、ヒートポンプ、及びパワーサイクルシステム添加剤を更に含む冷媒組成物を使用し得る。これらの添加剤は、冷蔵、空気調節、ヒートポンプ、及びパワーサイクルの分野において既知であり、耐摩耗剤、極圧潤滑剤、腐食及び酸化阻害剤、金属表面不活性化剤、フリーラジカルスカベンジャー、泡制御剤を含むが、これらに限定されない。一般的に、これらの添加剤は、本発明の組成物中に組成物全体と比較して少量で存在し得る。典型的には、約０．１重量パーセント未満から最大約３重量パーセントの濃度の各添加剤が、使用される。これらの添加剤は、個々のシステムの必要条件に基づいて選択される。これらの添加剤には、ブチル化トリフェニルホスフェート（ＢＴＰＰ）又は他のアルキル化リン酸トリアリールエステル、例えば、Ａｋｚｏ  ＣｈｅｍｉｃａｌｓからのＳｙｎ−０−Ａｄ８４７８、トリクレジルホスフェート、及び関連化合物等のＥＰ（極圧）潤滑性添加剤のリン酸トリアリールファミリーのメンバーを含む。更に、金属ジアルキルジチオホスフェート（例えば、亜鉛ジアルキルジチオホスフェート（又はＺＤＤＰ）、Ｌｕｂｒｉｚｏｌ  １３７５、及び化学物質のこのファミリーの他のメンバーが、本発明の組成物において使用され得る。他の耐摩耗添加剤には、天然物油及びＳｙｎｅｒｇｏｌ  ＴＭＳ（Ｉｎｔｅｒｎａｔｉｏｎａｌ  Ｌｕｂｒｉｃａｎｔｓ）等の非対称ポリヒドロキシル潤滑添加剤が含まれる。同様に、酸化防止剤、フリーラジカルスカベンジャー、及び水スカベンジャー等の安定剤が用いられ得る。この分類の化合物には、ブチル化ヒドロキシトルエン（ＢＨＴ）、エポキシド、及びそれらの混合物が含まれ得るが、これらに限定されない。腐食阻害剤には、ドデシル（dodeceyl）コハク酸（ＤＤＳＡ）、アミンホスフェート（ＡＰ）、オレオイルサルコシン、イミダゾン（imidazone）誘導体、及び置換スルホネート（sulfphonate）が含まれる。金属表面不活性化剤には、アレオキサリル（areoxalyl)ビス（ベンジリデン）ヒドラジド（ＣＡＳ登録番号６６２９−１０−３）、Ｎ，Ｎ’−ビス（３，５−ジ−ｔｅｒｔ−ブチル−４−ヒドロキシヒドロシンナモイルヒドラジン（ＣＡＳ登録番号３２６８７−７８−８）、２，２，’−オキサミドビス−エチル−（３，５−ジ−ｔｅｒｔ−ブチル−４−ヒドロキシヒドロシンナマート（ＣＡＳ登録番号７０３３１−９４−１）、Ｎ，Ｎ’−（ジサリシクリデン（disalicyclidene））−１，２−ジアミノプロパン（ＣＡＳ登録番号９４−９１−７）、及びエチレンジアミンテトラ−酢酸（ＣＡＳ登録番号６０−００−４）及びその塩、並びにそれらの混合物が含まれる。
【００５０】
システム
混和性を改善するための方法において使用するための上述の冷媒組成物はまた、冷蔵、空気調節、ヒートポンプ、及びパワーサイクルシステムにおいても有用である。
【００５１】
このため、本開示に従って、蒸発器、凝縮器、圧縮機、及び膨張装置を含む冷蔵、空気調節、又はヒートポンプシステムであって、少なくとも１つの冷媒及び潤滑剤を含む冷媒組成物を含有し、その潤滑剤が、少なくとも１つのペルフルオロポリエーテル及び非フッ化潤滑剤を含むが、但し、冷媒組成物が、組成の範囲にわたって且つ約−４０℃〜約＋２００℃、−４０℃〜約＋１６０℃、−４０℃〜約＋１０５℃、又は−４０℃〜約＋６０℃の温度の範囲にわたって２つを超える液相を有しないことを条件とする、冷蔵、空気調節、又はヒートポンプシステムが提供される。
【００５２】
特に高温ヒートポンプに関して、冷媒組成物は、より高い温度範囲を必要とし、したがって、冷媒組成物は、約−４０℃〜約＋２００℃又は約−４０℃〜約＋１６０℃の温度範囲にわたって２つを超える液相を有しない場合がある。あるいは、高温度ヒートポンプに関して、冷媒組成物は、約−４０℃〜約＋２００℃又は約−４０℃〜約＋１６０℃の温度の範囲にわたって単一液相を有する。
【００５３】
蒸気圧縮冷蔵、空気調節、又はヒートポンプシステムには、蒸発器、圧縮機、凝縮器、及び膨張装置が含まれる。冷蔵サイクルは、複数の工程において冷媒を再使用し、ある工程においては冷却効果を、及び異なる工程においては加熱効果を生み出す。このサイクルは、以下のように簡潔に記載することができる。液体冷媒が、膨張装置を通して蒸発器に入り、環境から熱を断つことによりその液体冷媒を蒸発器内で沸騰させ、低温で気体を形成し、冷却を生み出す。しばしば、空気又は熱は、蒸発器中で冷媒の蒸発によって生じる冷却効果を冷却される本体に移動させるために、蒸発器の上に又は周りに流体流を移動させる。低圧気体は、その圧力及び温度を上昇させるようにその気体が圧縮される圧縮機に入る。次いで、高圧（圧縮）気体冷媒は、冷媒を凝結し、その熱を環境に放出する凝縮器に入る。冷媒は、膨張装置に戻り、そこを通して液体を凝縮器のより高圧レベルから蒸発器の低圧レベルに膨張し、このようにして、サイクルを繰り返す。
【００５４】
冷蔵、空気調節、又はヒートポンプシステムは、特定の空間において加熱又は冷却効果を生み出すために使用されるシステム（又は器具）である。冷蔵、空気調節、又はヒートポンプシステムは、可動型のシステム又は定置型のシステムであり得る。
【００５５】
冷蔵、空気調節、又はヒートポンプシステムの例としては、空気調節装置、冷凍庫、冷蔵庫、ヒートポンプ、高温ヒートポンプ、冷水機、満液式蒸発器冷却機、直接膨張冷却機、ウォークインクーラー、可動型冷蔵庫、可動型空気調節ユニット、除湿器、及びそれらの組み合わせが挙げられるが、これらに限定されない。
【００５６】
可動型の冷蔵、空気調節、又はヒートポンプシステムは、道路、鉄道、海上、又は航空の輸送ユニットに組み込まれる任意の冷蔵、空気調節装置、又は加熱器具である。加えて、可動型の冷蔵又は空気調節装置ユニットは、任意の移動キャリアから独立しており、「インターモーダル」システムとして知られる器具を含む。そのようなインターモーダルシステムには、「容器」（海上／陸上輸送と組み合わせられる）並びに「スワップ本体」（道路／鉄道輸送と組み合わせられる）を含む。
【００５７】
定置型の冷蔵、空気調節、又はヒートポンプシステムは、動作中に適所に固定されるシステムである。定置型の冷蔵、空気調節、又はヒートポンプシステムは、任意の様々な建物内に関連付けられるか、若しくは取り付けられてもよく、又は、ソフトドリンク自動販売機等の戸外に位置する独立型の装置であり得る。これらの定置型用途は、これらに限定されないが、冷却機、高温ヒートポンプ、住宅用、商業用、若しくは工業用空気調節システム（住宅用ヒートポンプを含む）を含み、並びに窓、導管のない、導管のある、包まれた端部、及びそれらの外部を含むが、屋上システム等の建物に接続される、定置型の空気調節及びヒートポンプであり得る。定置型の冷蔵用途において、開示される組成物は、商業用、工業用、又は住宅用冷蔵庫及び冷凍庫、製氷機、内蔵型クーラー及び冷凍庫、満液式蒸発器冷却機、直接膨張冷却機、ウォークイン及びリーチインクーラー及び冷凍庫、及び組み合わせシステムを含む設備において有用であり得る。いくつかの実施形態では、本明細書で開示される冷媒組成物は、スーパーマーケットの冷蔵システムにおいて使用され得る。更に、定置型用途は、１つの位置において、冷却を生み出す一次冷媒を使用し、それが二次熱移動流体を介して遠隔地に移動される、二次ループシステムを利用し得る。
【００５８】
１つの実施形態では、冷蔵、空気調節、又はヒートポンプシステムは、自動車空気調節システムである。別の実施形態では、冷蔵、空気調節、又はヒートポンプシステムは、自動車ヒートポンプシステムである。別の実施形態では、冷蔵、空気調節、又はヒートポンプシステムは、定置型の空気調節システムである。別の実施形態では、冷蔵、空気調節、又はヒートポンプシステムは、定置型の冷蔵システムである。
【００５９】
また、本発明に従って、作動流体加熱ユニット、膨張機、作動流体冷却ユニット、及び圧縮機を含むパワーサイクルシステムであって、そのパワーサイクルシステムが、少なくとも１つの冷媒及び潤滑剤を含む冷媒組成物を含有し、その潤滑剤が、少なくとも１つのペルフルオロポリエーテル及び非フッ化潤滑剤を含むが、但し、冷媒組成物が、組成の範囲にわたって且つ約−４０℃〜約＋３００℃、−４０℃〜約＋２５０℃、−４０℃〜約＋１０５℃、又は−４０℃〜約＋６０℃の温度の範囲にわたって２つを超える液相を有しないことを条件とする、パワーサイクルシステムも提供される。
【００６０】
冷蔵、空気調節、ヒートポンプ、及びパワーサイクルシステムのいくつかの実施形態では、少なくとも１つの冷媒は、飽和又は不飽和炭化水素を含む。飽和及び不飽和炭化水素には、特にプロピレン、プロパン、シクロプロパン、イソブテン、ｎ−ブタン、２−メチルブタン、及びｎ−ペンタンが含まれる。これらの炭化水素は全て、種々の化学物質供給業者から市販されている。
【００６１】
冷蔵、空気調節、ヒートポンプ、及びパワーサイクルシステムのいくつかの実施形態では、少なくとも１つの冷媒は、飽和フルオロカーボンを含む。飽和フルオロカーボンには、特に、ジフルオロメタン（ＨＦＣ−３２）、１，１，２，２−テトラフルオロエタン（ＨＦＣ−１３４）、１，１，１，２−テトラフルオロエタン（ＨＦＣ−１３４ａ）、ペンタフルオロエタン（ＨＦＣ−１２５）、ジフルオロエタン（ＨＦＣ−１５２ａ）、フルオロエタン（ＨＦＣ−１６１）、１，１，１，２，３，３，３−ヘプタフルオロプロパン（ＨＦＣ−２２７ｅａ）、１，１，１，３，３，３−ヘキサフルオロプロパン（ＨＦＣ−２３６ｆａ）、１，１，１，３，３−ペンタフルオロプロパン（ＨＦＣ−２４５ｆａ）、１，１，１，２，３−ペンタフルオロプロパン（ＨＦＣ−２４５ｅｂ）、及び１，１，１，２，２−ペンタフルオロプロパン（ＨＦＣ−２４５ｃｂ）が含まれる。これらのフルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。
【００６２】
冷蔵、空気調節、ヒートポンプ、及びパワーサイクルシステムのいくつかの実施形態では、少なくとも１つの冷媒は、不飽和フルオロカーボンを含む。不飽和フルオロカーボンには、特に、２，３，３，３−テトラフルオロプロペン（ＨＦＯ−１２３４ｙｆ）、１，３，３，３−テトラフルオロプロペン（ＨＦＯ−１２３４ｚｅ、具体的には、トランス−ＨＦＯ−１２３４ｚｅ）、３，３，３−トリフルオロプロペン（ＨＦＯ−１２４３ｚｆ）、Ｚ−１，１，１，４，４，４−ヘキサフルオロ−２−ブテン（Ｚ−ＨＦＯ−１３３６ｍｚｚ）、Ｅ−１，１，１，４，４，４−ヘキサフルオロ−２−ブテン（Ｅ−ＨＦＯ−１３３６ｍｚｚ）、Ｅ−１−クロロ−３，３，３−トリフルオロ−プロペン（Ｅ−ＨＣＦＯ−１２３３ｚｄ）が含まれる。これらの不飽和フルオロカーボンは全て、Ｅ．Ｉ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から入手可能である。
【００６３】
冷蔵、空気調節、ヒートポンプ、及びパワーサイクルシステムの１つの実施形態では、少なくとも１つの冷媒は、ＨＦＯ−１２３４ｙｆ、トランス−ＨＦＯ−１２３４ｚｅ、ＨＦＯ−１２４３ｚｆ、ＨＦＣ−３２、ＨＦＣ−１５２ａ、ＨＦＣ−１６１、及びそれらのうちの２つ以上の組み合わせから選択される。別の実施形態では、少なくとも１つの冷媒は、ＨＦＯ−１２３４ｙｆを含む。別の実施形態では、少なくとも１つの冷媒が、トランス−ＨＦＯ−１２３４ｚｅを含む。別の実施形態では、少なくとも１つの冷媒は、ＨＦＣ−３２を含む。別の実施形態では、少なくとも１つの冷媒は、ＨＦＣ−１５２ａを含む。
【００６４】
冷蔵、空気調節、ヒートポンプ、及びパワーサイクルシステムの１つの実施形態では、冷媒組成物は、可燃性冷媒を含む。
【００６５】
燃焼性は、発火する及び／又は炎を伝播させる組成物の能力を意味するように使用される用語である。冷媒に関して、冷媒組成物と空気との均質混合物が炎を伝播することができるかどうかを決定するために、ＡＳＴＭ（American Society of Testing and Materials)E−６８１に定められている条件下での試験が必要とされる。
【００６６】
本発明の可燃性冷媒は、上述の試験条件下では可燃性と分類された。
【００６７】
冷蔵、空気調節、ヒートポンプ、及びパワーサイクルシステムのいくつかの実施形態では、少なくとも１つの冷媒は、飽和又は不飽和炭化水素を含む可燃性冷媒である。飽和及び不飽和炭化水素には、特にプロピレン、プロパン、シクロプロパン、イソブテン、ｎ−ブタン、２−メチルブタン、及びｎ−ペンタンが含まれる。これらの炭化水素は全て、種々の化学物質供給業者から市販されている。
【００６８】
冷蔵、空気調節、ヒートポンプ、及びパワーサイクルシステムのいくつかの実施形態では、少なくとも１つの冷媒は、飽和フルオロカーボンを含む可燃性冷媒である。飽和フルオロカーボンには、特にジフルオロメタン（ＨＦＣ−３２）、ジフルオロエタン（ＨＦＣ−１５２ａ）、及びフルオロエタン（ＨＦＣ−１６１）が含まれる。これらのフルオロカーボンは全て、ＥＩ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から市販されている。
【００６９】
冷蔵、空気調節、ヒートポンプ、及びパワーサイクルシステムのいくつかの実施形態では、少なくとも１つの可燃性冷媒は、不飽和フルオロカーボンを含む。不飽和フルオロカーボンには、特に、２，３，３，３−テトラフルオロプロペン（ＨＦＯ−１２３４ｙｆ）、１，３，３，３−テトラフルオロプロペン（ＨＦＯ−１２３４ｚｅ、具体的には、トランス−ＨＦＯ−１２３４ｚｅ）、及び３，３，３−トリフルオロプロペン（ＨＦＯ−１２４３ｚｆ）が含まれる。これらの不飽和フルオロカーボンは全て、Ｅ．Ｉ．ｄｕ  Ｐｏｎｔ  ｄｅ  Ｎｅｍｏｕｒｓ（Ｗｉｌｍｉｎｇｔｏｎ，Ｄｅｌａｗａｒｅ，ＵＳＡ）等のフルオロケミカル供給業者から入手可能である。
【００７０】
冷蔵、空気調節、ヒートポンプ、及びパワーサイクルシステムの１つの実施形態では、少なくとも１つの可燃性冷媒は、ＨＦＯ−１２３４ｙｆ、トランス−ＨＦＯ−１２３４ｚｅ、ＨＦＯ−１２４３ｚｆ、ＨＦＣ−３２、ＨＦＣ−１５２ａ、ＨＦＣ−１６１、及びそれらのうちの２つ以上の組み合わせから選択される。別の実施形態では、少なくとも１つの可燃性冷媒は、ＨＦＯ−１２３４ｙｆを含む。別の実施形態では、少なくとも１つの可燃性冷媒は、トランス−ＨＦＯ−１２３４ｚｅを含む。別の実施形態では、少なくとも１つの可燃性化合物は、ＨＦＣ−３２を含む。別の実施形態では、少なくとも１つの可燃性化合物は、ＨＦＣ−１５２ａを含む。
【００７１】
冷蔵、空気調節、ヒートポンプ、及びパワーサイクルシステムにおいて使用するための本明細書で開示される冷媒組成物は、少なくとも１つのペルフルオロポリエーテルを含む。ペルフルオロポリエーテルポリマーのペルフルオロアルキルエーテル部分は、少なくとも２個の末端基を有する。１つの実施形態では、直鎖ペルフルオロポリエーテルは、少なくとも２つの末端基を有する。別の実施形態では、ペルフルオロポリエーテルは、２つの末端基を有する。他の実施形態では、ペルフルオロポリエーテルは、３つ以上の末端基を有する。ペルフルオロポリエーテルは、ペルフルオロポリアルキルエーテルと同義であり得る。ペルフルオロポリエーテルを意味する頻繁に使用される他の用語には、「ＰＦＰＥ」、「ＰＦＡＥ」、「ＰＦＰＥ油」、「ＰＦＰＥ流体」、及び「ＰＦＰＡＥ」が含まれる。
【００７２】
いくつかの実施形態では、ペルフルオロポリエーテルは、ＣＦ3−（ＣＦ2）2−Ｏ−［ＣＦ（ＣＦ3）−ＣＦ2−Ｏ］ｊ−Ｒ’ｆ又はＦ−（ＣＦ（ＣＦ3）ＣＦ2−Ｏ）nＣＦ2ＣＦ3の式を有し、Ｋｒｙｔｏｘ（登録商標）の商標でＤｕＰｏｎｔ（Ｗｉｌｍｉｎｇｔｏｎ、Ｄｅｌａｗａｒｅ、ＵＳＡ）から市販されている。直前の式において、ｊは、２−１００であり、ｎは、９〜６０（境界値も含む）であり、Ｒ’ｆは、ＣＦ2ＣＦ3、Ｃ３〜Ｃ６ペルフルオロアルキル基又はそれらの組み合わせである。
【００７３】
それぞれ、Ｆｏｍｂｌｉｎ（登録商標）及びＧａｌｄｅｎ（登録商標）の商標でＭｉｌａｎ，ＩｔａｌｙのＡｕｓｉｍｏｎｔ及びＭｉｌａｎ，ＩｔａｌｙのＭｏｎｔｅｄｉｓｏｎ  Ｓ．ｐ．Ａから市販されており、ペルフルオロオレフィン光酸化によって生成される他のＰＦＰＥも使用することができる。Ｆｏｍｂｌｉｎ（登録商標）−Ｙの商標で市販されているＰＦＰＥは、ＣＦ3Ｏ（ＣＦ2ＣＦ（ＣＦ3）−Ｏ−）m（ＣＦ2−Ｏ−）n−Ｒ1fの式を有し得る。ＣＦ3Ｏ［ＣＦ2ＣＦ（ＣＦ3）Ｏ］m（ＣＦ2ＣＦ2Ｏ）o（ＣＦ2Ｏ）n−Ｒ1fもまた好適である。式、Ｒ1fは、ＣＦ3、Ｃ2Ｆ5、Ｃ3Ｆ7、又はそれらのうちの２つ以上の組み合わせであり、ｍ、ｎ、及びｏは整数又は分数であり得、（ｍ＋ｎ）は８〜４５（境界値も含む）であり、ｍ／ｎは２０〜１０００（境界値も含む）であり、ｏは１であり、（ｍ＋ｎ＋ｏ）は８〜４５（境界値も含む）であり、ｍ／ｎは２０〜１０００（境界値も含む）である。
【００７４】
Ｆｏｍｂｌｉｎ（登録商標）−Ｚの商標で市販されているＰＦＰＥは、ＣＦ3Ｏ（ＣＦ2ＣＦ2−Ｏ−）p（ＣＦ2−Ｏ）qＣＦ3の式を有し得、式中、（ｐ＋ｑ）は４０〜１８０であり、ｐ／ｑは０．５〜２（境界値も含む）である。
【００７５】
Ｄａｉｋｉｎ  Ｉｎｄｕｓｔｒｉｅｓ，ＪａｐａｎからＤｅｍｎｕｍ（商標）の商標で市販されているＰＦＰＥの別のファミリーも使用することができる。Ｆ−［（ＣＦ2）3−Ｏ］t−Ｒ2fの式をもたらす２，２，３，３−テトラフルオロオキセタンの連続するオリゴマー化及びフッ化によって生成することができ、式中、Ｒ2fは、ＣＦ3、Ｃ2Ｆ5、又はそれらの組み合わせであり、ｔは２〜２００（境界値も含む）である。
【００７６】
いくつかの実施形態では、ＰＦＰＥは、官能化されていない。非官能化ペルフルオロポリエーテルでは、末端基は、分岐鎖又は直鎖ペルフルオロアルキルラジカル末端基であり得る。そのようなペルフルオロポリエーテルの例は、ＣrＦ(2r+1)−Ａ−ＣrＦ(2r+1)式を有し得、式中、各ｒは独立して、３〜６であり、Ａは、Ｏ−（ＣＦ（ＣＦ3）ＣＦ2−Ｏ）w、Ｏ−（ＣＦ2−Ｏ）x（ＣＦ2ＣＦ2−Ｏ）y、Ｏ−（Ｃ2Ｆ4−Ｏ）w、Ｏ−（Ｃ2Ｆ4−Ｏ）x（Ｃ3Ｆ6−Ｏ）y、Ｏ−（ＣＦ（ＣＦ3）ＣＦ2−Ｏ）x（ＣＦ2−Ｏ）y、Ｏ−（ＣＦ2ＣＦ2ＣＦ2−Ｏ）w、Ｏ−（ＣＦ（ＣＦ3）ＣＦ2−Ｏ）x（ＣＦ2ＣＦ2−Ｏ）y−（ＣＦ2−Ｏ）z、又はそれらのうちの２つ以上の組み合わせであり得る。いくつかの実施形態では、Ａは、Ｏ−（ＣＦ（ＣＦ3）ＣＦ2−Ｏ）w、Ｏ−（Ｃ2Ｆ4−Ｏ）w、Ｏ−（Ｃ2Ｆ4−Ｏ）x（Ｃ3Ｆ6−Ｏ）y、Ｏ−（ＣＦ2ＣＦ2ＣＦ2−Ｏ）w、又はそれらのうちの２つ以上の組み合わせであり、ｗは４〜１００であり、ｘ及びｙはそれぞれ独立して、１〜１００である。具体的な例としては、Ｆ（ＣＦ（ＣＦ3）−ＣＦ2−Ｏ）9−ＣＦ2ＣＦ3、Ｆ（ＣＦ（ＣＦ3）−ＣＦ2−Ｏ）9−ＣＦ（ＣＦ3）2、及びそれらの組み合わせが挙げられるが、これらに限定されない。そのようなＰＦＰＥでは、ハロゲン原子の最大３０％は、例えば、塩素原子等のフッ素以外のハロゲンであってもよい。
【００７７】
官能化ＰＦＰＥは、ペルフルオロポリエーテルの末端基のうちの少なくとも１つが、エステル、ヒドロキシル、アミン、アミド、シアノ、カルボン酸、スルホン酸、又はそれらの組み合わせから選択される基によって置換されたそのハロゲン原子のうちの少なくとも１つを有する、ＰＦＰＥである。他の実施形態では、ペルフルオロポリエーテルの２つの末端基は独立して、同じ又は異なる基によって官能化される。１つの実施形態では、ペルフルオロポリエーテルの末端基のうちの少なくとも１つは、カルボン酸である。１つの実施形態では、ペルフルオロポリエーテルの末端基のうちの少なくとも１つは、スルホン酸である。
【００７８】
いくつかの実施形態では、代表的なエステル末端基には、−ＣＯＯＣＨ3、−ＣＯＯＣＨ2ＣＨ3、−ＣＦ2ＣＯＯＣＨ3、−ＣＦ2ＣＯＯＣＨ2ＣＨ3、
−ＣＦ2ＣＦ2ＣＯＯＣＨ3、−ＣＦ2ＣＦ2ＣＯＯＣＨ2ＣＨ3、−ＣＦ2ＣＨ2ＣＯＯＣＨ3、−ＣＦ2ＣＦ2ＣＨ2ＣＯＯＣＨ3、−ＣＦ2ＣＨ2ＣＨ2ＣＯＯＣＨ3、−ＣＦ2ＣＦ2ＣＨ2ＣＨ2ＣＯＯＣＨ3が含まれる。
【００７９】
いくつかの実施形態では、代表的なヒドロキシル末端基には、−ＣＦ2ＯＨ、−ＣＦ2ＣＦ2ＯＨ、−ＣＦ2ＣＨ2ＯＨ、−ＣＦ2ＣＦ2ＣＨ2ＯＨ、−ＣＦ2ＣＨ2ＣＨ2ＯＨ、−ＣＦ2ＣＦ2ＣＨ2ＣＨ2ＯＨが含まれる。
【００８０】
いくつかの実施形態では、代表的なアミン末端基には、−ＣＦ2ＮＲ1Ｒ2、−ＣＦ2ＣＦ2ＮＲ1Ｒ2、−ＣＦ2ＣＨ2ＮＲ1Ｒ2、−ＣＦ2ＣＦ2ＣＨ2ＮＲ1Ｒ2、
−ＣＦ2ｇ８３ＣＨ2ＣＨ2ＮＲ1Ｒ2、−ＣＦ2ＣＦ2ＣＨ2ＣＨ2ＮＲ1Ｒ2が含まれ、式中、Ｒ1及びＲ2は独立して、Ｈ、ＣＨ3又はＣＨ2ＣＨ3である。
【００８１】
いくつかの実施形態では、代表的なアミド末端基には、−ＣＦ2Ｃ（Ｏ）ＮＲ1Ｒ2、−ＣＦ2ＣＦ2Ｃ（Ｏ）ＮＲ1Ｒ2、−ＣＦ2ＣＨ2Ｃ（Ｏ）ＮＲ1Ｒ2、−ＣＦ2ＣＦ2ＣＨ2Ｃ（Ｏ）ＮＲ1Ｒ2、−ＣＦ2ＣＨ2ＣＨ2Ｃ（Ｏ）ＮＲ1Ｒ2、−ＣＦ2ＣＦ2ＣＨ2ＣＨ2Ｃ（Ｏ）ＮＲ1Ｒ2が含まれ、式中、Ｒ1及びＲ2は独立して、Ｈ、ＣＨ3、又はＣＨ2ＣＨ3である。
【００８２】
いくつかの実施形態では、代表的なシアノ末端基には、−ＣＦ2ＣＮ、−ＣＦ2ＣＦ2ＣＮ、−ＣＦ2ＣＨ2ＣＮ、−ＣＦ2ＣＦ2ＣＨ2ＣＮ、−ＣＦ2ＣＨ2ＣＨ2ＣＮ、−ＣＦ2ＣＦ2ＣＨ2ＣＨ2ＣＮが含まれる。
【００８３】
いくつかの実施形態では、代表的なカルボン酸末端基には、−ＣＦ2ＣＯＯＨ、−ＣＦ2ＣＦ2ＣＯＯＨ、−ＣＦ2ＣＨ2ＣＯＯＨ、−ＣＦ2ＣＦ2ＣＨ2ＣＯＯＨ、−ＣＦ2ＣＨ2ＣＨ2ＣＯＯＨ、−ＣＦ2ＣＦ2ＣＨ2ＣＨ2ＣＯＯＨが含まれる。
【００８４】
いくつかの実施形態では、スルホン酸末端基は、−Ｓ（Ｏ）（Ｏ）ＯＲ3、−Ｓ（Ｏ）（Ｏ）Ｒ4、−ＣＦ2ＯＳ（Ｏ）（Ｏ）ＯＲ3、
−ＣＦ2ＣＦ2ＯＳ（Ｏ）（Ｏ）ＯＲ3、−ＣＦ2ＣＨ2ＯＳ（Ｏ）（Ｏ）ＯＲ3、−ＣＦ2ＣＦ2ＣＨ2ＯＳ（Ｏ）（Ｏ）ＯＲ3、−ＣＦ2ＣＨ2ＣＨ2ＯＳ（Ｏ）（Ｏ）ＯＲ3、−ＣＦ2ＣＦ2ＣＨ2ＣＨ2ＯＳ（Ｏ）（Ｏ）ＯＲ3、−ＣＦ2Ｓ（Ｏ）（Ｏ）ＯＲ3、−ＣＦ2ＣＦ2Ｓ（Ｏ）（Ｏ）ＯＲ3、−ＣＦ2ＣＨ2Ｓ（Ｏ）（Ｏ）ＯＲ3、−ＣＦ2ＣＦ2ＣＨ2Ｓ（Ｏ）（Ｏ）ＯＲ3、−ＣＦ2ＣＨ2ＣＨ2Ｓ（Ｏ）（Ｏ）ＯＲ3、−ＣＦ2ＣＦ2ＣＨ2ＣＨ2Ｓ（Ｏ）（Ｏ）ＯＲ3、−ＣＦ2ＯＳ（Ｏ）（Ｏ）Ｒ4、
−ＣＦ2ＣＦ2ＯＳ（Ｏ）（Ｏ）Ｒ4、−ＣＦ2ＣＨ2ＯＳ（Ｏ）（Ｏ）Ｒ4、−ＣＦ2ＣＦ2ＣＨ2ＯＳ（Ｏ）（Ｏ）Ｒ4、
−ＣＦ2ＣＨ2ＣＨ2ＯＳ（Ｏ）（Ｏ）Ｒ4、−ＣＦ2ＣＦ2ＣＨ2ＣＨ2ＯＳ（Ｏ）（Ｏ）Ｒ4からなる群から選択され、式中、Ｒ3は、Ｈ、ＣＨ3、ＣＨ2ＣＨ3、ＣＨ2ＣＦ3、ＣＦ3、又はＣＦ2ＣＦ3であり、Ｒ4は、ＣＨ3、ＣＨ2ＣＨ3、ＣＨ2ＣＦ3、ＣＦ3、又はＣＦ2ＣＦ3である。
【００８５】
冷蔵、空気調節、ヒートポンプ、又はパワーサイクルシステムのいくつかの実施形態では、ペルフルオロポリエーテルは、４０℃で約５〜約１０００平方ミリメートル毎秒（ｍｍ2／ｓ）（約５〜約１０００センチストーク（ｃＳｔ））の範囲の粘度を有する。別の実施形態では、ペルフルオロポリエーテルは、４０℃で約２０〜約１００ｍｍ2／ｓ（約２０〜約１００ｃＳｔ）の範囲の粘度を有する。別の実施形態では、ペルフルオロポリエーテルは、４０℃で約２０〜約８０ｍｍ2／ｓ（約２０〜約８０ｃＳｔ）の範囲の粘度を有する。
【００８６】
冷蔵及び空気調節システムにおいて使用するための非フッ化潤滑剤には、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせが含まれる。
【００８７】
１つの実施形態では、非フッ化潤滑剤は、ポリアルキレングリコールである。別の実施形態では、非フッ化潤滑剤は、ポリオールエステルである。別の実施形態では、非フッ化潤滑剤は、ポリビニルエーテルである。
【００８８】
冷蔵、空気調節、ヒートポンプ、又はパワーサイクルシステムのいくつかの実施形態では、本発明の非フッ化潤滑剤には、パラフィン（即ち、直鎖及び分岐炭素鎖飽和炭化水素）及びナフテン（即ち、環状パラフィン）が含まれるが、これらに限定されない、鉱油を含む。更に、非フッ化潤滑剤は、アルキルベンゼン等の芳香族（即ち、交互二重結合によって特徴付けられる１つ以上の環を含有する不飽和環状炭化水素）を含む。本発明の潤滑剤は、アルキルアリール（即ち、直鎖及び分岐鎖アルキルアルキルベンゼン）及びポリ（アルファオレフィン）として一般的に知られるものを更に含む。
【００８９】
本発明の代表的な潤滑剤は、ＢＶＭ  １００  Ｎ（ＢＶＡ  Ｏｉｌｓによって販売されているパラフィン系鉱油）、Ｓｕｎｉｓｏ（登録商標）３ＧＳ、Ｓｕｎｉｓｏ（登録商標）４ＧＳ、及びＳｕｎｉｓｏ（登録商標）５ＧＳ（Ｃｒｏｍｐｔｏｎ  Ｃｏ．によって販売されているナフタン系鉱油）の商標で販売される潤滑剤、Ｓｏｎｔｅｘ（登録商標）３７２ＬＴの商標で販売される潤滑剤（Ｐｅｎｎｚｏｉｌによって販売されているナフタン系鉱油）、Ｃａｌｕｍｅｔ  ＲＯ−３０の商標で販売される潤滑剤（Ｃａｌｕｍｅｔ  Ｌｕｂｒｉｃａｎｔｓによって販売されているナフタン系鉱油）、Ｚｅｒｏｌ（登録商標）７５、Ｚｅｒｏｌ（登録商標）１５０、Ｚｅｒｏｌ（登録商標）２００、及びＺｅｒｏｌ（登録商標）５００の商標で販売される潤滑剤（Ｓｈｒｉｅｖｅ  Ｃｈｅｍｉｃａｌｓによって販売されている直鎖アルキルベンゼン）、並びにＨＡＢ２２（Ｎｉｐｐｏｎ  Ｏｉｌによって販売されている分岐鎖アルキルベンゼン）等の潤滑剤である。炭化水素系の潤滑剤は、好ましくは鉱油である。
【００９０】
冷蔵、空気調節、ヒートポンプ、又はパワーサイクルシステムの他の実施形態では、非フッ化潤滑剤には、Ｃａｓｔｒｏｌ（Ｕｎｉｔｅｄ  Ｋｉｎｇｄｏｍ）によりＣａｓｔｒｏｌ（登録商標）１００の商標で、Ｃｏｐｅｌａｎｄ  ＣｏｒｐｏｒａｔｉｏｎによりＵｌｔｒａ  ２２ＣＣ°の商標で、又はＵｎｉｑｅｍａからＥｍｋａｒａｔｅ（登録商標）の商標で、販売されているＰＯＥ等ポリオールエステル（ＰＯＥ）、Ｄｏｗ  Ｃｈｅｍｉｃａｌ（Ｍｉｄｌａｎｄ，Ｍｉｃｈｉｇａｎ）からのＲＬ−４８８Ａ及びＰＡＧ  ＰＳＤ１（ＡＣＤｅｌｃｏ，Ｇｒａｎｄ  Ｂｌａｎｃ，Ｍｉｃｈｉｇａｎから入手可能）等のポリアルキレングリコール（ＰＡＧ）、ポリビニルエーテル（ＰＶＥ）、シリコーン、並びにＭｉｔｓｕｉ＆Ｃｏ．，Ｌｔｄ．（Ｔｏｋｙｏ，Ｊａｐａｎ）からのＭＡ２３２０Ｆ等のポリカーボネート（ＰＣ）が含まれるが、これらに限定されない。
【００９１】
冷蔵、空気調節、ヒートポンプ、又はパワーサイクルシステムでは、冷媒対合計潤滑剤（ＰＦＰＥプラス非フッ化潤滑剤）の比率は、９９：１〜１：９９の範囲であり得る。システムの別の実施形態では、冷媒対合計潤滑剤の比率は、９５：５〜５：９５の範囲であり得る。システムの別の実施形態では、冷媒対合計潤滑剤の比率は、２８：７２〜１：９９の範囲であり得る。システムの別の実施形態では、冷媒対潤滑剤の比率は、９９．９：０．１〜７５：２５の範囲であり得る。
【００９２】
冷蔵、空気調節、ヒートポンプ、又はパワーサイクルシステムでは、ペルフルオロポリエーテル対非フッ化潤滑剤の比率が、約５：９５〜９９：１の範囲である。別の実施形態では、ペルフルオロポリエーテル対非フッ化潤滑剤の比率は、約１０：９０〜９９：１の範囲である。別の実施形態では、ペルフルオロポリエーテル対非フッ化潤滑剤の比率は、約１０：９０〜７５：２５の範囲である。別の実施形態では、ペルフルオロポリエーテル対非フッ化潤滑剤の比率は、約２０：８０〜５０：５０の範囲である。別の実施形態では、ペルフルオロポリエーテル対非フッ化潤滑剤の比率は、約５：９５〜２０：８０の範囲である。
【００９３】
冷蔵、空気調節、又はヒートポンプシステムのある特定の実施形態では、冷媒組成物は、組成の範囲にわたって且つ約−４０℃〜約＋１０５℃の温度の範囲にわたって２つを超える液相を有しない。他の実施形態では、冷媒組成物は、組成の範囲にわたって且つ約−４０℃〜約＋６０℃の温度の範囲にわたって２つを超える液相を有しない。他の実施形態では、冷媒組成物は、組成の範囲にわたって且つ約−２５℃〜約＋４０℃の温度の範囲にわたって２つを超える液相を有しない。他の実施形態では、冷媒組成物は、組成の範囲にわたって且つ約−１０℃〜約＋４０℃の温度の範囲にわたって２つを超える液相を有しない。別の実施形態では、冷媒組成物は、組成の範囲にわたって且つ約＋４℃〜約＋４０℃の温度の範囲にわたって２つを超える液相を有しない。別の実施形態では、冷媒組成物は、組成の範囲にわたって且つ約＋５℃〜約＋２５℃の温度の範囲にわたって２つを超える液相を有しない。システムの他の実施形態では、冷媒組成物は、組成の範囲にわたって且つ約−４０℃〜約＋２００℃の温度の範囲にわたって２つを超える液相を有しない。システムの他の実施形態では、冷媒組成物は、組成の範囲にわたって且つ約−４０℃〜約＋１６０℃の温度の範囲にわたって２つを超える液相を有しない。
【００９４】
システムのいくつかの実施形態では、冷媒組成物の混和性は、より大きな範囲まで改善され、１相又は単相のみがシステム内に存在する。したがって、システムの１つの実施形態では、冷媒組成物は、組成の範囲にわたって且つ約−４０℃〜約＋１０５℃の温度の範囲にわたって単一液相を有する。システムの別の実施形態では、冷媒組成物は、組成の範囲にわたって且つ約−４０℃〜約＋６０℃の温度の範囲にわたって単一液相を有する。システムの別の実施形態では、冷媒組成物は、組成の範囲にわたって且つ約−２５℃〜約＋４０℃の温度の範囲にわたって単一液相を有する。システムの別の実施形態では、冷媒組成物は、組成の範囲にわたって且つ約−２０℃〜約＋４０℃の温度の範囲にわたって単一液相を有する。システムの別の実施形態では、冷媒組成物は、組成の範囲にわたって且つ約−１０℃〜約＋４０℃の温度の範囲にわたって単一液相を有する。システムの別の実施形態では、冷媒組成物は、組成の範囲にわたって且つ約＋４℃〜約＋４０℃の温度の範囲にわたって単一液相を有する。システムの別の実施形態では、冷媒組成物は、組成の範囲にわたって且つ約＋５℃〜約＋２５℃の温度の範囲にわたって単一液相を有する。システムの他の実施形態では、冷媒組成物は、組成の範囲にわたって且つ約−４０℃〜約＋２００℃の温度の範囲にわたって単一液相を有する。システムの他の実施形態では、冷媒組成物は、組成の範囲にわたって且つ約−４０℃〜約＋１６０℃の温度の範囲にわたって単一液相を有する。
【００９５】
本発明の方法はまた、所望に応じて、性能及びシステム安定性を強化するためにある特定の冷蔵、空気調節、又はヒートポンプシステム添加剤を更に含む、冷媒組成物を使用し得る。これらの添加剤は、冷蔵及び空気調節の分野において既知であり、耐摩耗剤、極圧潤滑剤、腐食及び酸化阻害剤、金属表面不活性化剤、フリーラジカルスカベンジャー、泡制御剤を含むが、これらに限定されない。一般的に、これらの添加剤は、本発明の組成物中に組成物全体と比較して少量で存在し得る。典型的には、約０．１重量パーセント未満から最大約３重量パーセントの濃度の各添加剤が、使用される。これらの添加剤は、個々のシステムの必要条件に基づいて選択される。これらの添加剤には、ブチル化トリフェニルホスフェート（ＢＴＰＰ）又は他のアルキル化リン酸トリアリールエステル、例えば、Ａｋｚｏ  ＣｈｅｍｉｃａｌｓからのＳｙｎ−０−Ａｄ８４７８、トリクレジルホスフェート、及び関連化合物等のＥＰ（極圧）潤滑性添加剤のリン酸トリアリールファミリーのメンバーを含む。更に、金属ジアルキルジチオホスフェート（例えば、亜鉛ジアルキルジチオホスフェート（又はＺＤＤＰ）、Ｌｕｂｒｉｚｏｌ  １３７５、及び化学物質のこのファミリーの他のメンバーが、本発明の組成物において使用され得る。他の耐摩耗添加剤には、天然物油及びＳｙｎｅｒｇｏｌ  ＴＭＳ（Ｉｎｔｅｒｎａｔｉｏｎａｌ  Ｌｕｂｒｉｃａｎｔｓ）等の非対称ポリヒドロキシル潤滑添加剤が含まれる。同様に、酸化防止剤、フリーラジカルスカベンジャー、及び水スカベンジャー等の安定剤が用いられ得る。この分類の化合物には、ブチル化ヒドロキシトルエン（ＢＨＴ）、エポキシド、及びそれらの混合物が含まれ得るが、これらに限定されない。腐食阻害剤には、ドデシル（dodeceyl）コハク酸（ＤＤＳＡ）、アミンホスフェート（ＡＰ）、オレオイルサルコシン、イミダゾン（imidazone）誘導体、及び置換スルホネート（sulfphonate）が含まれる。金属表面不活性化剤には、アレオキサリル（areoxalyl）ビス（ベンジリデン）ヒドラジド（ＣＡＳ登録番号６６２９−１０−３）、Ｎ，Ｎ’−ビス（３，５−ジ−ｔｅｒｔ−ブチル−４−ヒドロキシヒドロシンナモイルヒドラジン（ＣＡＳ登録番号３２６８７−７８−８）、２，２，’−オキサミドビス−エチル−（３，５−ジ−ｔｅｒｔ−ブチル−４−ヒドロキシヒドロシンナマート（ＣＡＳ登録番号７０３３１−９４−１）、Ｎ，Ｎ’−（ジサリシクリデン（disalicyclidene））−１，２−ジアミノプロパン（ＣＡＳ登録番号９４−９１−７）、及びエチレンジアミンテトラ−酢酸（ＣＡＳ登録番号６０−００−４）及びその塩、並びにそれらの混合物が含まれる。
【実施例】
【００９６】
本明細書で開示される概念は、以下の実施例において更に記載されるが、これらの実施例は、特許請求の範囲に記載される本発明の範囲を制限しない。
【００９７】
実施例の実施において、以下の材料を使用した。
ＰＡＧ  ＰＳＤ１は、ＡＣ  Ｄｅｌｃｏ（Ｇｒａｎｄ  Ｂｌａｎｃ，Ｍｉｃｈｉｇａｎ）から入手されるポリアルキレングリコール潤滑剤であり、ＰＯＥ  ＲＬ  ２２  Ｈ、ＰＯＥ  ＲＬ  ３２  Ｈ、及びＰＯＥ  ＲＬ  ６８  Ｈは、Ｎｕ−Ｃａｌｇｏｎ（Ｓｔ．Ｌｏｕｉｓ，Ｍｉｓｓｏｕｒｉ）から入手されるＥｍｋａｒａｔｅ（登録商標）の商標で販売されるポリオールエステル潤滑剤であり、Ｋｒｙｔｏｘ（登録商標）ＧＰＬ  １０４、ＧＰＬ  １０５、及びＧＰＬ  １０６は、Ｅ．Ｉ．ｄｕ  Ｐｏｎｔ  ｄｅ  Ｎｅｍｏｕｒ（Ｗｉｌｍｉｎｇｔｏｎ，Ｄｅｌａｗａｒｅ）からの非官能化ペルフルオロポリエーテルであり、Ｋｒｙｔｏｘ（登録商標）１５７  ＦＳ（Ｌ）は、Ｅ．Ｉ．ｄｕ  Ｐｏｎｔ  ｄｅ  Ｎｅｍｏｕｒ（Ｗｉｌｍｉｎｇｔｏｎ，Ｄｅｌａｗａｒｅ）からの官能化ペルフルオロポリエーテルであり、Ｅ．Ｉ．ｄｕ  Ｐｏｎｔ  ｄｅ  Ｎｅｍｏｕｒｓ（Ｗｉｌｍｉｎｇｔｏｎ、Ｄｅｌａｗａｒｅ）からのＨＦＣ−１２３４ｙｆ（２，３，３，３−テトラフルオロプロペン）冷媒。
【００９８】
（実施例１）
混和性
以下の方法によって冷媒の存在下で混和性に関して潤滑剤混合物を試験した。冷媒及び潤滑剤混合組成物を異なる冷媒及び潤滑剤体積濃度で密封ガラス管に充填した。多くの場合、ＨＦＯ−１２３４ｙｆ冷媒、１つのＰＦＰＥ潤滑剤、及び１つの非フッ化潤滑剤を管に充填した。次いで、管を異なる温度に供し、存在する相の数に関して目視で観察した。１つの相が観察された場合に、冷媒及び２つの潤滑剤は、完全な混和性を実現した。３つの相が観察された場合、相のうちのいずれの間にも混和性は実現されなかった。混和性の改善を示す１つ又は２つの相を有することが望ましい。結果を表１〜１２に示す。表１は、純粋ＰＡＧについての  ＨＦＯ−１２３４ｙｆ冷媒との混和性データを示す。表２〜４は、Ｋｒｙｔｏｘ（登録商標）ＧＰＬ  １０４／ＰＡＧ／１２３４ｙｆについての混和性データを示し、表５〜８は、Ｋｒｙｔｏｘ（登録商標）ＦＳ（Ｌ）／ＰＡＧ／１２３４ｙｆについての混和性データを示し、表９〜１１は、Ｋｒｙｔｏｘ（登録商標）ＧＰＬ１０４／ＰＯＥ／１２３４ｙｆについての混和性データを示し、表１２〜１４は、Ｋｒｙｔｏｘ（登録商標）ＦＳ（Ｌ）／ＰＯＥ／１２３４ｙｆについての混和性データを示す。
【００９９】
【表１】
2016522845.tif 000002
【０１００】
【表２】
2016522845.tif 000003
【０１０１】
【表３】
2016522845.tif 000004
【０１０２】
【表４】
2016522845.tif 000005
【０１０３】
【表５】
2016522845.tif 000006
【０１０４】
【表６】
2016522845.tif 000007
【０１０５】
【表７】
2016522845.tif 000008
【０１０６】
【表８】
2016522845.tif 000009
【０１０７】
【表９】
2016522845.tif 000010
【０１０８】
【表１０】
2016522845.tif 000011
【０１０９】
【表１１】
2016522845.tif 000012
【０１１０】
【表１２】
2016522845.tif 000013
【０１１１】
【表１３】
2016522845.tif 000014
【０１１２】
【表１４】
2016522845.tif 000015
【０１１３】
これらの結果は、３つの相が観察された組成物と対比して改善された混和性を実証する１つ又は２つの相が実現された、Ｒ−１２３４ｙｆ冷媒、Ｋｒｙｔｏｘ（登録商標）、及びＰＡＧ又はＰＯＥ潤滑剤の多くの組成が存在することを示す。これらの結果は、本発明の冷媒／潤滑剤混合物が、冷却、加熱、及び発電設備のための対として使用され得ることを示す。表８に示される１つのケースでは、全ての温度及び冷媒／潤滑剤組成範囲にわたって完全な混和性が実現された。
【０１１４】
（実施例２）
粘度
ＰＡＧ又はＰＯＥ潤滑剤と置き換える好ましいＰＦＰＥ潤滑剤を選択するために、冷蔵又は空気調節動作中の圧縮機サンプ条件における冷媒／潤滑剤混合物の粘度を決定することが重要である。ＨＦＯ−１２３４ｙｆを用いたＰＡＧ及びＰＯＥ潤滑剤に関して蒸気液体平衡、圧力、及び粘度データを測定し、ＨＦＯ−１２３４ｙｆ及び異なるＰＦＰＥ潤滑剤と比較した。ＶｉｓｃｏＰｒｏ  ２０００  Ｖｉｓｃｏｍｅｔｅｒ（Ｃａｍｂｒｉｄｇｅ  Ａｐｐｌｉｅｄ  Ｓｙｓｔｅｍｓ，Ｍｅｄｆｏｒｄ，Ｍａｓｓａｃｈｕｓｅｔｔｓ，ＵＳＡ）を使用して、２０℃及び０．３５ＭＰａの典型的な圧縮機サンプ条件における冷媒潤滑剤混合物に関して粘度を決定した。結果を以下に示す。
【０１１５】
【表１５】
2016522845.tif 000016
【０１１６】
このデータは、ＰＡＧ  ＰＳＤ１に関して、粘度において最も適合したものが、Ｋｒｙｔｏｘ（登録商標）ＧＰＬ  １０４であり、両方とも粘度が３ｃＰであることを示す。ＧＰＬ−１０４はまた、圧縮機に十分な潤滑を提供する潤滑剤の選択における１つのパラメーターである、それが粘度に適合するか、又はそれが置き換えているＰＯＥ潤滑剤よりも若干高いかのいずれかである点でも、最良の選択である。
【０１１７】
（実施例３）
更なる混和性データ
以下の方法によって冷媒の存在下で混和性に関して潤滑剤混合物を試験した。冷媒及び潤滑剤混合組成物を異なる冷媒及び潤滑剤体積濃度で密封ガラス管に充填した。この実施例に関して、Ｚ−ＨＦＯ−１３３６ｍｚｚ冷媒、又はＺ−ＨＦＯ−１３３６ｍｚｚとＨＦＣ−２４５ｅｂとの混合物、１つのＰＦＰＥ潤滑剤、及び１つの非フッ化潤滑剤を管中に充填した。次いで、管を異なる温度に供し、存在する相の数に関して目視で観察した。１つの相が観察された場合に、冷媒及び２つの潤滑剤は、完全な混和性を実現した。３つの相が観察された場合、相のうちのいずれの間にも混和性は実現されなかった。混和性の改善を示す１つ又は２つの相を有することが望ましい。結果を表１６〜１９に示す。表１６は、純粋ＰＯＥについてのＺ−ＨＦＯ−１３３６ｍｚｚ冷媒との混和性データを示す。表１７は、ＧＰＬ１０４／ＰＯＥ／Ｚ−ＨＦＯ−１３３６ｍｚｚ冷媒についての混和性データを示し、表１８は、純粋ＰＯＥについての混合Ｚ−ＨＦＯ−１３３６ｍｚｚ／ＨＦＣ−２４５ｅｂ冷媒との混和性データを示し、表１９は、ＧＰＬ１０４／ＰＯＥ／についての混合Ｚ−ＨＦＯ−１３３６ｍｚｚ／ＨＦＣ−２４５ｅｂ冷媒との混和性データを示す。
【０１１８】
【表１６】
2016522845.tif 000017
【０１１９】
【表１７】
2016522845.tif 000018
【０１２０】
【表１８】
2016522845.tif 000019
【０１２１】
【表１９】
2016522845.tif 000020
【０１２２】
（実施例４）
ＨＦＯの添加は、Ｋｒｙｔｏｘ（登録商標）／ＰＯＥブレンドの混和性を上昇させる。
表２０は、５０％  Ｙｏｒｋ  Ｌ  ＰＯＥ潤滑剤及び５０％  Ｋｒｙｔｏｘ（登録商標）ＦＳＬからなるブレンドが種々の温度で平衡で分離する、はっきりと異なる相の数を示す。密封管試験管においてほぼ同じ体積の最上層及び底層を占める２つの非混和性相は、試験される温度範囲全体を通して保持された。Ｋｒｙｔｏｘ（登録商標）が豊富な底相は、試験される温度範囲全体を通して澄んだ透明なまま保持された。Ｙｏｒｋ  Ｌが豊富な最上相は、試験される全ての温度において濁った外観を有し、Ｙｏｒｋ  Ｌの連続相に分散したＫｒｙｔｏｘ（登録商標）の液滴の存在と一致している。
【０１２３】
【表２０】
2016522845.tif 000021
【０１２４】
表２１は、５０％  Ｚ−ＨＦＯ−１３３６ｍｚｚ冷媒及び５０％潤滑剤からなり、該潤滑剤が５０％  Ｙｏｒｋ  Ｌ  ＰＯＥ潤滑剤及び５０重量％  Ｋｒｙｔｏｘ（登録商標）ＦＳＬからなる、ブレンドが、種々の温度で平衡で分離する、はっきりと異なる相の数を示す。表２１は、均質混合物が、最大６０℃の温度まで維持されることを示す。表２１と表２０との比較は、Ｚ−ＨＦＯ−１３３６ｍｚｚのＹｏｒｋ  Ｌ／Ｋｒｙｔｏｘ（登録商標）ＦＳＬブレンドへの添加が、室温〜６０℃の温度におけるＹｏｒｋ  Ｌ／Ｋｒｙｔｏｘ  ＦＳＬブレンドの混和性を改善したことを示す。更に、表２１に示される７０〜９５℃の温度で第２相として分離するＨＦＯ−１３３６ｍｚｚ−Ｚ／Ｋｒｙｔｏｘ（登録商標）ＦＳＬ／Ｙｏｒｋ  Ｌブレンドの量は、表２０に示されるものと同じ温度範囲にわたってＫｒｙｔｏｘ（登録商標）ＦＳＬ／Ｙｏｒｋ  Ｌブレンド（Ｚ−ＨＦＯ−１３３６ｍｚｚを含まない）のケースよりもはるかに少ない。
【０１２５】
【表２１】
2016522845.tif 000022
（ａ）管２の頂部に厚い非混和性層（３ｍｍ厚）
（ｂ）管５の頂部に厚い非混和性層（６ｍｍ厚）
【０１２６】
（実施例５）
ＨＦＯ冷媒は、冷却、加熱、及び発電設備のための作動流体／潤滑剤の対として使用するのに十分なＫｒｙｔｏｘ（登録商標）／ＰＯＥ潤滑剤ブレンドとの混和性を有し得る。
【０１２７】
冷却機、ヒートポンプ、及び有機Ｒａｎｋｉｎｅパワーエンジン等の冷却、加熱、及び発電設備は、通常、その動作のために冷媒及び潤滑剤を必要とする。冷媒及び潤滑剤は、効率的な動作を可能にし、より長い設備寿命を保証するように、十分に混和性でなければならない。表２１のデータは、冷媒としてＺ−ＨＦＯ−１３３６ｍｚｚからなるブレンド並びに潤滑剤として５０％  Ｙｏｒｋ  Ｌ  ＰＯＥ及び５０％  Ｋｒｙｔｏｘ（登録商標）ＦＳＬからなるブレンドが、冷却、加熱、及び発電設備において使用される広い温度範囲にわたって十分に混和性を保持することを示す。
【０１２８】
表２２のデータは、９０％  Ｚ−ＨＦＯ−１３３６ｍｚｚ、２．５％  Ｋｒｙｔｏｘ（登録商標）ＧＰＬ  １０４、及び７．５％  Ｙｏｒｋ  Ｌ  ＰＯＥからなる３つの成分混合物が、試験される温度範囲全体にわたって完全な混和性を保持したことを示す。したがって、Ｚ−ＨＦＯ−１３３６ｍｚｚ並びに７５％  Ｙｏｒｋ  Ｌ  ＰＯＥ及び２５％  Ｋｒｙｔｏｘ（登録商標）ＧＰｌ  １０４からなるブレンドが、冷却、加熱、及び発電設備において、それぞれ、冷媒及び潤滑剤として使用される広い温度範囲にわたって十分に混和性を保持し得る。
【０１２９】
【表２２】
2016522845.tif 000023
【０１３０】
表２３のデータは、９０％  Ｚ−ＨＦＯ−１３３６ｍｚｚ、２．５％  Ｋｒｙｔｏｘ（登録商標）ＦＳＬ、及び７．５％  Ｙｏｒｋ  Ｌ  ＰＯＥからなる３つの成分混合物が、試験される温度範囲全体にわたって完全な混和性を保持したことを示す。表２４のデータは、５０％  Ｚ−ＨＦＯ−１３３６ｍｚｚ、１２．５％  Ｋｒｙｔｏｘ（登録商標）ＦＳＬ、及び３７．５％  Ｙｏｒｋ  Ｌ  ＰＯＥからなる３つの成分混合物が、冷却、加熱、又は発電用途のために有用な温度範囲にわたって、完全な混和性を保持したか、又は限られた範囲で分離したかのいずれかであったことを示す。したがって、Ｚ−ＨＦＯ−１３３６ｍｚｚ並びに７５％  Ｙｏｒｋ  Ｌ  ＰＯＥ及び２５％  Ｋｒｙｔｏｘ（登録商標）ＦＳＬからなるブレンドは、冷却、加熱、及び発電設備において、それぞれ、冷媒及び潤滑剤として使用される広い温度範囲にわたって十分に混和性を保持し得る。
【０１３１】
【表２３】
2016522845.tif 000024
【０１３２】
【表２４】
2016522845.tif 000025
（ａ）管の頂部に厚い非混和性層（３ｍｍ厚）
（ｂ）管の頂部に厚い非混和性層（６ｍｍ厚）
【０１３３】
選択される実施形態
実施形態Ａ１：冷蔵、空気調節、又はヒートポンプシステムにおける混和性を改善する方法であって、
冷蔵、空気調節、又はヒートポンプシステムに冷媒組成物を装入することを含み、
該冷媒組成物が、少なくとも１つの冷媒及び潤滑剤を含み、該潤滑剤が、少なくとも１つのペルフルオロポリエーテル及び少なくとも１つの非フッ化潤滑剤を含むが、但し、該冷媒組成物が、該組成の範囲にわたって且つ約−４０℃〜約＋２００℃の温度の範囲にわたって２つを超える液相を有しないことを条件とし、
該冷蔵、空気調節、又はヒートポンプシステムが、蒸発器、凝縮器、圧縮機、及び膨張装置を含む、方法。
【０１３４】
実施形態Ａ１ａ：該冷媒組成物が、約−４０℃〜約＋１６０の温度にわたって２つを超えない液相を有する、実施形態Ａ１に記載の方法。
【０１３５】
実施形態Ａ１ｂ：該冷媒組成物が、約−４０℃〜約＋１０５の温度にわたって２つを超えない液相を有する、実施形態Ａ１に記載の方法。
【０１３６】
実施形態Ａ１ｃ：該冷媒組成物が、約−４０℃〜約＋６０の温度にわたって２つを超える液相を有しない、実施形態Ａ１に記載の方法。
【０１３７】
実施形態Ａ２：該少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、実施形態Ａ１に記載の方法。
【０１３８】
実施形態Ａ３：該少なくとも１つの冷媒が、飽和又は不飽和炭化水素を含む、実施形態Ａ１又はＡ２のいずれかに記載の方法。
【０１３９】
実施形態Ａ４：該少なくとも１つの冷媒が、飽和フルオロカーボンを含む、実施形態Ａ１又はＡ２のいずれかに記載の方法。
【０１４０】
実施形態Ａ５：該少なくとも１つの冷媒が、不飽和フルオロカーボンを含む、実施形態Ａ１又はＡ２のいずれかに記載の方法。
【０１４１】
実施形態Ａ６：該少なくとも１つの冷媒が、ＨＦＯ−１２３４ｙｆ、トランス−ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらのうちの２つ以上の組み合わせから選択される、実施形態Ａ１、又はＡ４若しくはＡ５のいずれかに記載の方法。
【０１４２】
実施形態Ａ７：該少なくとも１つの冷媒が、ＨＦＯ−１２３４ｙｆを含む、実施形態Ａ１〜Ａ６のいずれかに記載の方法。
【０１４３】
実施形態Ａ８：該少なくとも１つの冷媒が、トランス−ＨＦＯ−１２３４ｚｅを含む、実施形態Ａ１〜Ａ６のいずれかに記載の方法。
【０１４４】
実施形態Ａ９：該少なくとも１つの冷媒が、ＨＦＣ−３２を含む、実施形態Ａ１〜Ａ６のいずれかに記載の方法。
【０１４５】
実施形態Ａ１０：該少なくとも１つの冷媒が、ＨＦＣ−１５２ａを含む、実施形態Ａ１〜Ａ６のいずれかに記載の方法。
【０１４６】
実施形態Ａ１１：該ペルフルオロポリエーテルが、４０℃で約５〜約１０００ｍｍ2／ｓ（約５〜約１０００ｃＳｔ）の範囲の粘度を有する、実施形態Ａ１〜Ａ１０のいずれかに記載の方法。
【０１４７】
実施形態Ａ１２：該ペルフルオロポリエーテルが、４０℃で約２０〜約１００ｍｍ2／ｓ（約２０〜約１００ｃＳｔ）の範囲の粘度を有する、実施形態Ａ１〜Ａ１１のいずれかに記載の方法。
【０１４８】
実施形態Ａ１３：該ペルフルオロポリエーテルが、４０℃で約３０〜約９０ｍｍ2／ｓ（約３０〜約９０ｃＳｔ）の範囲の粘度を有する、実施形態Ａ１〜Ａ１２のいずれかに記載の方法。
【０１４９】
実施形態Ａ１４：該ペルフルオロポリエーテルが、官能化されていない、実施形態Ａ１〜Ａ１３のいずれかに記載の方法。
【０１５０】
実施形態Ａ１５：該ペルフルオロポリエーテルの末端基のうちの少なくとも１つが、エステル、ヒドロキシル、アミン、アミド、シアノ、カルボン酸、及びスルホン酸からなる群から選択される官能化された基である、実施形態Ａ１〜Ａ１４のいずれかに記載の方法。
【０１５１】
実施形態Ａ１６：該ペルフルオロポリエーテルの末端基のうちの少なくとも１つが、カルボン酸である、実施形態Ａ１〜Ａ１５のいずれかに記載の方法。
【０１５２】
実施形態Ａ１７：冷媒対潤滑剤の比率が、９９：１〜１：９９の範囲である、実施形態Ａ１〜Ａ１６のいずれかに記載の方法。
【０１５３】
実施形態Ａ１８：ペルフルオロポリエーテル対非フッ化潤滑剤の比率が、約５：９５〜９９：１の範囲である、実施形態Ａ１〜Ａ１７のいずれかに記載の方法。
【０１５４】
実施形態Ａ１９：該非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせからなる群から選択される、実施形態Ａ１〜Ａ１８のいずれかに記載の方法。
【０１５５】
実施形態Ａ２０：該非フッ化潤滑剤が、ポリアルキレングリコールである、実施形態Ａ１〜Ａ１９のいずれかに記載の方法。
【０１５６】
実施形態Ａ２１：該非フッ化潤滑剤が、ポリオールエステルである、実施形態Ａ１〜Ａ２０のいずれかに記載の方法。
【０１５７】
実施形態Ａ２２：該非フッ化潤滑剤が、ポリビニルエーテルである、実施形態Ａ１〜Ａ２１のいずれかに記載の方法。
【０１５８】
実施形態Ａ２３：該冷媒組成物が、該組成の範囲にわたって且つ約−４０℃〜約＋２００℃の温度の範囲にわたって単一液相を有する、実施形態Ａ１〜Ａ２２のいずれかに記載の方法。
【０１５９】
実施形態Ａ２３ａ：該冷媒組成物が、約−４０℃〜約＋１６０の温度にわたって単一液相を有する、実施形態Ａ２３に記載の方法。
【０１６０】
実施形態Ａ２３ｂ：該冷媒組成物が、約−４０℃〜約＋１０５の温度にわたって単一液相を有する、実施形態Ａ２３に記載の方法。
【０１６１】
実施形態Ａ２３ｃ：該冷媒組成物が、約−４０℃〜約＋６０の温度にわたって単一液相を有する、実施形態Ａ２３に記載の方法。
【０１６２】
実施形態Ａ２４：該冷媒組成物が、該組成の範囲にわたって且つ約−２０℃〜約＋４０℃の温度の範囲にわたって単一液相を有する、実施形態Ａ１〜Ａ２３のいずれかに記載の方法。
【０１６３】
実施形態Ａ２５：該冷媒組成物が、該組成の範囲にわたって且つ約５℃〜約２５℃の温度の範囲にわたって単一液相を有する、実施形態Ａ１〜Ａ２４のいずれかに記載の方法。
【０１６４】
実施形態Ａ２６：ペルフルオロポリエーテル対非フッ化潤滑剤の比率が、約５：９５〜２０：８０の範囲である、実施形態Ａ１〜Ａ２５のいずれかに記載の方法。
【０１６５】
実施形態Ｂ１：蒸発器、凝縮器、圧縮機、及び膨張装置を含む冷蔵、空気調節、又はヒートポンプシステムであって、該冷蔵又は空気調節システムが、少なくとも１つの冷媒及び潤滑剤を含む冷媒組成物を含有し、該潤滑剤が、少なくとも１つのペルフルオロポリエーテル及び非フッ化潤滑剤を含むが、但し、該冷媒組成物が、該組成の範囲にわたって且つ約−４０℃〜約＋２００℃の温度の範囲にわたって２つを超える液相を有しないことを条件とする、冷蔵、空気調節、又はヒートポンプシステム。
【０１６６】
実施形態Ｂ１ａ：該冷媒組成物が、約−４０℃〜約＋１６０の温度にわたって２つを超える液相を有しない、実施形態Ｂ１に記載の冷蔵、空気調節、又はヒートポンプシステム。
【０１６７】
実施形態Ｂ１ｂ：該冷媒組成物が、約−４０℃〜約＋１０５の温度にわたって２つを超える液相を有しない、実施形態Ｂ１に記載の冷蔵、空気調節、又はヒートポンプシステム。
【０１６８】
実施形態Ｂ１ｃ：該冷媒組成物が、約−４０℃〜約＋６０の温度にわたって２つを超える液相を有しない、実施形態Ｂ１に記載の冷蔵、空気調節、又はヒートポンプシステム。
【０１６９】
実施形態Ｂ２：自動車空気調節システムである、実施形態Ｂ１に記載の冷蔵、空気調節、又はヒートポンプシステム。
【０１７０】
実施形態Ｂ３：定置型の冷蔵、空気調節、又はヒートポンプシステムである、実施形態Ｂ１に記載の冷蔵、空気調節、又はヒートポンプシステム。
【０１７１】
実施形態Ｂ４：定置型の空気調節システムである、実施形態Ｂ１又はＢ３のいずれかに記載の冷蔵、空気調節、又はヒートポンプシステム。
【０１７２】
実施形態Ｂ５：定置型の冷蔵システムである、実施形態Ｂ１又はＢ３のいずれかに記載の冷蔵、空気調節、又はヒートポンプシステム。
【０１７３】
実施形態Ｂ６：該少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、実施形態Ｂ１〜Ｂ５のいずれかに記載の冷蔵、空気調節、又はヒートポンプシステム。
【０１７４】
実施形態Ｂ７：該少なくとも１つの冷媒が、飽和又は不飽和炭化水素を含む、実施形態Ｂ１〜Ｂ６のいずれかに記載の冷蔵、空気調節、又はヒートポンプシステム。
【０１７５】
実施形態Ｂ８：該少なくとも１つの冷媒が、飽和フルオロカーボンを含む、実施形態Ｂ１〜Ｂ６のいずれかに記載の冷蔵、空気調節、又はヒートポンプシステム。
【０１７６】
実施形態Ｂ９：該少なくとも１つの冷媒が、不飽和フルオロカーボンを含む、実施形態Ｂ１〜Ｂ６のいずれかに記載の冷蔵、空気調節、又はヒートポンプシステム。
【０１７７】
実施形態Ｂ１０：該少なくとも１つの冷媒が、ＨＦＯ−１２３４ｙｆ、トランス−  ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらのうちの２つ以上の組み合わせから選択される、実施形態Ｂ１〜Ｂ９のいずれかに記載の冷蔵、空気調節、又はヒートポンプシステム。
【０１７８】
実施形態Ｂ１１：該少なくとも１つの冷媒が、ＨＦＯ−１２３４ｙｆを含む、実施形態Ｂ１〜Ｂ１０のいずれかに記載の冷蔵、空気調節、又はヒートポンプシステム。
【０１７９】
実施形態Ｂ１２：該少なくとも１つの冷媒が、トランス−ＨＦＯ−１２３４ｚｅを含む、実施形態Ｂ１〜Ｂ１１のいずれかに記載の冷蔵、空気調節、又はヒートポンプシステム。
【０１８０】
実施形態Ｂ１３：該少なくとも１つの可燃性化合物が、ＨＦＣ−３２を含む、実施形態Ｂ１〜Ｂ１１のいずれかに記載の冷蔵、空気調節、又はヒートポンプシステム。
【０１８１】
実施形態Ｂ１４：該少なくとも１つの化合物が、ＨＦＣ−１５２ａを含む、実施形態Ｂ１〜Ｂ１１のいずれかに記載の冷蔵、空気調節、又はヒートポンプシステム。
【０１８２】
実施形態Ｂ１５：該ペルフルオロポリエーテルが、４０℃で約５〜約１０００ｍｍ2／ｓ（約５〜約１０００ｃＳｔ）の範囲の粘度を有する、実施形態Ｂ１〜Ｂ１４のいずれかに記載の冷蔵、空気調節、又はヒートポンプシステム。
【０１８３】
実施形態Ｂ１６：該ペルフルオロポリエーテルが、４０℃で約２０〜約１００ｍｍ2／ｓ（約２０〜約１００ｃＳｔ）の範囲の粘度を有する、実施形態Ｂ１〜Ｂ１５のいずれかに記載の冷蔵、空気調節、又はヒートポンプシステム。
【０１８４】
実施形態Ｂ１７：該ペルフルオロポリエーテルが、４０℃で約２０〜約８０ｍｍ2／ｓ（約２０〜約８０ｃＳｔ）の範囲の粘度を有する、実施形態Ｂ１〜Ｂ１６のいずれかに記載の冷蔵、空気調節、又はヒートポンプシステム。
【０１８５】
実施形態Ｂ１８：該ペルフルオロポリエーテルが、官能化されていない、実施形態Ｂ１〜Ｂ１７のいずれかに記載の冷蔵、空気調節、又はヒートポンプシステム。
【０１８６】
実施形態Ｂ１９：該ペルフルオロポリエーテルの末端基のうちの少なくとも１つが、エステル、ヒドロキシル、アミン、アミド、シアノ、カルボン酸、及びスルホン酸からなる群から選択される官能化された基である、実施形態Ｂ１〜Ｂ１８のいずれかに記載の冷蔵、空気調節、又はヒートポンプシステム。
【０１８７】
実施形態Ｂ２０：該ペルフルオロポリエーテルの末端基のうちの少なくとも１つが、カルボン酸である、実施形態Ｂ１〜Ｂ１９のいずれかに記載の冷蔵、空気調節、又はヒートポンプシステム。
【０１８８】
実施形態Ｂ２１：冷媒対潤滑剤の比率が、９９：１〜１：９９の範囲である、実施形態Ｂ１〜Ｂ２０のいずれかに記載の冷蔵、空気調節、又はヒートポンプシステム。
【０１８９】
実施形態Ｂ２２：ペルフルオロポリエーテル対非フッ化潤滑剤の比率が、約５：９５〜９９：１の範囲である、実施形態Ｂ１〜Ｂ４のいずれかに記載の冷蔵、空気調節、又はヒートポンプシステム。
【０１９０】
実施形態Ｂ２３：該非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせからなる群から選択される、実施形態Ｂ１〜Ｂ２２のいずれかに記載の冷蔵、空気調節、又はヒートポンプシステム。
【０１９１】
実施形態Ｂ２４：該非フッ化潤滑剤が、ポリアルキレングリコールである、実施形態Ｂ１〜Ｂ２３のいずれかに記載の冷蔵、空気調節、又はヒートポンプシステム。
【０１９２】
実施形態Ｂ２５：該非フッ化潤滑剤が、ポリオールエステルである、実施形態Ｂ１〜Ｂ２４のいずれかに記載の冷蔵、空気調節、又はヒートポンプシステム。
【０１９３】
実施形態Ｂ２６：該非フッ化潤滑剤が、ポリビニルエーテルである、実施形態Ｂ１〜Ｂ２５のいずれかに記載の冷蔵、空気調節、又はヒートポンプシステム。
【０１９４】
実施形態Ｂ２７：該冷媒組成物が、該組成の範囲にわたって且つ約−４０℃〜約＋２００℃の温度の範囲にわたって単一液相を有する、実施形態Ｂ１〜Ｂ２６のいずれかに記載の冷蔵、空気調節、又はヒートポンプシステム。
【０１９５】
実施形態Ｂ２７ａ：該冷媒組成物が、約−４０℃〜約＋１６０の温度にわたって単一液相を有する、実施形態Ｂ２７に記載の冷蔵、空気調節、又はヒートポンプシステム。
【０１９６】
実施形態Ｂ２７ｂ：該冷媒組成物が、約−４０℃〜約＋１０５の温度にわたって単一液相を有する、実施形態Ｂ２７に記載の冷蔵、空気調節、又はヒートポンプシステム。
【０１９７】
実施形態Ｂ２７ｃ：該冷媒組成物が、約−４０℃〜約＋６０の温度にわたって単一液相を有する、実施形態Ｂ２７に記載の冷蔵、空気調節、又はヒートポンプシステム。
【０１９８】
実施形態Ｂ２８：該冷媒組成物が、該組成の範囲にわたって且つ約５℃〜約２５℃の温度の範囲にわたって単一液相を有する、実施形態Ｂ１〜Ｂ２７のいずれかに記載の冷蔵、空気調節、又はヒートポンプシステム。
【０１９９】
実施形態Ｂ２９：該冷媒組成物が、該組成の範囲にわたって且つ約５℃〜約２５℃の温度の範囲にわたって単一液相を有する、実施形態Ｂ１〜Ｂ２８のいずれかに記載の冷蔵、空気調節、又はヒートポンプシステム。
【０２００】
実施形態Ｂ３０：ペルフルオロポリエーテル対非フッ化潤滑剤の比率が、約５：９５〜２０：８０の範囲である、実施形態Ｂ１〜Ｂ２９のいずれかに記載の冷蔵、空気調節、又はヒートポンプシステム。
【０２０１】
実施形態Ｃ１：パワーサイクルシステムにおける混和性を改善する方法であって、パワーサイクルシステムに冷媒組成物を装入することを含み、
該冷媒組成物が、少なくとも１つの冷媒及び潤滑剤を含み、該潤滑剤が、少なくとも１つのペルフルオロポリエーテル及び少なくとも１つの非フッ化潤滑剤を含むが、但し、該冷媒組成物が、該組成の範囲にわたって且つ約−４０℃〜約＋３００℃の温度の範囲にわたって２つを超える液相を有しないことを条件とし、該パワーサイクルシステムが、作動流体加熱ユニット、膨張機、作動流体冷却ユニット、及び圧縮機を含む、方法。
【０２０２】
実施形態Ｃ１ａ：該冷媒組成物が、約−４０℃〜約＋２５０の温度にわたって２つを超える液相を有しない、実施形態Ｃ１に記載の方法。
【０２０３】
実施形態Ｃ１ｂ：該冷媒組成物が、約−４０℃〜約＋１０５の温度にわたって２つを超える液相を有しない、実施形態Ｃ１に記載の方法。
【０２０４】
実施形態Ｃ１ｃ：該冷媒組成物が、約−４０℃〜約＋６０の温度にわたって２つを超える液相を有しない、実施形態Ｃ１に記載の方法。
【０２０５】
実施形態Ｃ２：該パワーサイクルシステムが、有機Ｒａｎｋｉｎｅサイクルシステムである、実施形態Ｃ１に記載の方法。
【０２０６】
実施形態Ｃ３：該少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、実施形態Ｃ１〜Ｃ２のいずれかに記載の方法。
【０２０７】
実施形態Ｃ４：該少なくとも１つの冷媒が、飽和又は不飽和炭化水素を含む、実施形態Ｃ１〜Ｃ３のいずれかに記載の方法。
【０２０８】
実施形態Ｃ５：該少なくとも１つの冷媒が、飽和フルオロカーボンを含む、実施形態Ｃ１〜Ｃ３のいずれかに記載の方法。
【０２０９】
実施形態Ｃ６：該少なくとも１つの冷媒が、不飽和フルオロカーボンを含む、実施形態Ｃ１〜Ｃ３のいずれかに記載の方法。
【０２１０】
実施形態Ｃ７：該少なくとも１つの冷媒が、ＨＦＯ−１２３４ｙｆ、トランス−ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらのうちの２つ以上の組み合わせから選択される、実施形態Ｃ１〜Ｃ６のいずれかに記載の方法。
【０２１１】
実施形態Ｃ８：該少なくとも１つの冷媒が、ＨＦＯ−１２３４ｙｆを含む、実施形態Ｃ１〜Ｃ７のいずれかに記載の方法。
【０２１２】
実施形態Ｃ９：該少なくとも１つの冷媒が、トランス−ＨＦＯ−１２３４ｚｅを含む、実施形態Ｃ１〜Ｃ８のいずれかに記載の方法。
【０２１３】
実施形態Ｃ１０：該少なくとも１つの冷媒が、ＨＦＣ−３２を含む、実施形態Ｃ１〜Ｃ９のいずれかに記載の方法。
【０２１４】
実施形態Ｃ１１：該少なくとも１つの冷媒が、ＨＦＣ−１５２ａを含む、実施形態Ｃ１〜Ｃ１０のいずれかに記載の方法。
【０２１５】
実施形態Ｃ１２：該少なくとも１つの冷媒が、ＨＦＣ−１３４を含む、実施形態Ｃ１〜Ｃ１１のいずれかに記載の方法。
【０２１６】
実施形態Ｃ１３：該少なくとも１つの冷媒が、Ｅ−ＨＦＯ−１３３６ｍｚｚ又はＺ−ＨＦＯ−１３３６ｍｚｚを含む、実施形態Ｃ１〜Ｃ１１のいずれかに記載の方法。
【０２１７】
実施形態Ｃ１４：該少なくとも１つの冷媒が、Ｅ−ＨＣＦＯ−１２３３ｚｄ又はＺ−ＨＣＦＯ−１２３３ｚｄを含む、実施形態Ｃ１〜Ｃ１３のいずれかに記載の方法。
【０２１８】
実施形態Ｃ１５：該ペルフルオロポリエーテルが、４０℃で約５〜約１０００ｍｍ2／ｓ（約５〜約１０００ｃＳｔ）の範囲の粘度を有する、実施形態Ｃ１〜Ｃ１４のいずれかに記載の方法。
【０２１９】
実施形態Ｃ１６：該ペルフルオロポリエーテルが、４０℃で約２０〜約１００ｍｍ2／ｓ（約２０〜約１００ｃＳｔ）の範囲の粘度を有する、実施形態Ｃ１〜Ｃ１５のいずれかに記載の方法。
【０２２０】
実施形態Ｃ１７：該ペルフルオロポリエーテルが、４０℃で約３０〜約９０ｍｍ2／ｓ（約３０〜約９０ｃＳｔ）の範囲の粘度を有する、実施形態Ｃ１〜Ｃ１６のいずれかに記載の方法。
【０２２１】
実施形態Ｃ１８：該ペルフルオロポリエーテルが、官能化されていない、実施形態Ｃ１〜Ｃ１７のいずれかに記載の方法。
【０２２２】
実施形態Ｃ１９：該ペルフルオロポリエーテルの末端基のうちの少なくとも１つが、エステル、ヒドロキシル、アミン、アミド、シアノ、カルボン酸、及びスルホン酸からなる群から選択される官能化された基である、実施形態Ｃ１〜Ｃ１８のいずれかに記載の方法。
【０２２３】
実施形態Ｃ２０：該ペルフルオロポリエーテルの末端基のうちの少なくとも１つが、カルボン酸である、実施形態Ｃ１〜Ｃ１９のいずれかに記載の方法。
【０２２４】
実施形態Ｃ２１：冷媒対潤滑剤の比率が、９９：１〜１：９９の範囲である、実施形態Ｃ１〜Ｃ２０のいずれかに記載の方法。
【０２２５】
実施形態Ｃ２２：ペルフルオロポリエーテル対非フッ化潤滑剤の比率が、約５：９５〜９９：１の範囲である、実施形態Ｃ１〜Ｃ２１のいずれかに記載の方法。
【０２２６】
実施形態Ｃ２３：該非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせからなる群から選択される、実施形態Ｃ１〜Ｃ２２のいずれかに記載の方法。
【０２２７】
実施形態Ｃ２４：該非フッ化潤滑剤が、ポリアルキレングリコールである、実施形態Ｃ１〜Ｃ２３のいずれかに記載の方法。
【０２２８】
実施形態Ｃ２５：該非フッ化潤滑剤が、ポリオールエステルである、実施形態Ｃ１〜Ｃ２４のいずれかに記載の方法。
【０２２９】
実施形態Ｃ２６：該非フッ化潤滑剤が、ポリビニルエーテルである、実施形態Ｃ１〜Ｃ２５のいずれかに記載の方法。
【０２３０】
実施形態Ｃ２７：該冷媒組成物が、該組成の範囲にわたって且つ約−４０℃〜約＋３００℃の温度の範囲にわたって単一液相を有する、実施形態Ｃ１〜Ｃ２６のいずれかに記載の方法。
【０２３１】
実施形態Ｃ２７ａ：該冷媒組成物が、約−４０℃〜約＋２５０の温度にわたって単一液相を有する、実施形態Ｃ２７に記載の方法。
【０２３２】
実施形態Ｃ２７ｂ：該冷媒組成物が、約−４０℃〜約＋１０５の温度にわたって単一液相を有する、実施形態Ｃ２７に記載の方法。
【０２３３】
実施形態Ｃ２７ｃ：該冷媒組成物が、約−４０℃〜約＋６０の温度にわたって単一液相を有する、実施形態Ｃ２７に記載の方法。
【０２３４】
実施形態Ｃ２８：該冷媒組成物が、該組成の範囲にわたって且つ約−２０℃〜約＋４０℃の温度の範囲にわたって単一液相を有する、実施形態Ｃ１〜Ｃ２７のいずれかに記載の方法。
【０２３５】
実施形態Ｃ２９：該冷媒組成物が、該組成の範囲にわたって且つ約５℃〜約２５℃の温度の範囲にわたって単一液相を有する、実施形態Ｃ１〜Ｃ２８のいずれかに記載の方法。
【０２３６】
実施形態Ｃ３０：ペルフルオロポリエーテル対非フッ化潤滑剤の比率が、約５：９５〜２０：８０の範囲である、実施形態Ｃ１〜Ｃ２９のいずれかに記載の方法。
【０２３７】
実施形態Ｄ１：作動流体加熱ユニット、膨張機、作動流体冷却ユニット、及び圧縮機を含むパワーサイクルシステムであって、該パワーサイクルシステムが、少なくとも１つの冷媒及び潤滑剤を含む冷媒組成物を含有し、該潤滑剤が、少なくとも１つのペルフルオロポリエーテル及び非フッ化潤滑剤を含むが、但し、該冷媒組成物が、該組成の範囲にわたって且つ約−４０℃〜約＋３００℃の温度の範囲にわたって２つを超える液相を有しないことを条件とする、パワーサイクルシステム。
【０２３８】
実施形態Ｄ１ａ：該冷媒組成物が、約−４０℃〜約＋２５０の温度にわたって２つを超える液相を有しない、実施形態Ｄ１記載のパワーサイクルシステム。
【０２３９】
実施形態Ｄ１ｂ：該冷媒組成物が、約−４０℃〜約＋１０５の温度にわたって２つを超える液相を有しない、実施形態Ｄ１記載のパワーサイクルシステム。
【０２４０】
実施形態Ｄ１ｃ：該冷媒組成物が、約−４０℃〜約＋６０の温度にわたって２つを超える液相を有しない、実施形態Ｄ１記載のパワーサイクルシステム。
【０２４１】
実施形態Ｄ２：有機Ｒａｎｋｉｎｅサイクルシステムである、実施形態Ｄ１に記載のパワーサイクルシステム。
【０２４２】
実施形態Ｄ３：該少なくとも１つの冷媒が、飽和炭化水素、不飽和炭化水素、飽和フルオロカーボン、不飽和フルオロカーボン、及びそれらの組み合わせからなる群から選択される少なくとも１つの化合物を含む、実施形態Ｄ１〜Ｄ２のいずれかに記載のパワーサイクルシステム。
【０２４３】
実施形態Ｄ４：該少なくとも１つの冷媒が、飽和又は不飽和炭化水素を含む、実施形態Ｄ１〜Ｄ３のいずれかに記載のパワーサイクルシステム。
【０２４４】
実施形態Ｄ５：該少なくとも１つの冷媒が、飽和フルオロカーボンを含む、実施形態Ｄ１〜Ｄ４のいずれかに記載のパワーサイクルシステム。
【０２４５】
実施形態Ｄ６：該少なくとも１つの冷媒が、不飽和フルオロカーボンを含む、実施形態Ｄ１〜Ｄ５のいずれかに記載のパワーサイクルシステム。
【０２４６】
実施形態Ｄ７：該少なくとも１つの冷媒が、ＨＦＯ−１２３４ｙｆ、トランス−ＨＦＯ−１２３４ｚｅ、ＨＦＯ−１２４３ｚｆ、ＨＦＣ−３２、ＨＦＣ−１３４、ＨＦＣ−１３４ａ、ＨＦＣ−１２５、ＨＦＣ−１５２ａ、ＨＦＣ−１６１、ＨＦＣ−２２７ｅａ、ＨＦＣ−２３６ｆａ、ＨＦＣ−２４５ｆａ、ＨＦＣ−２４５ｅｂ、ＨＦＣ−２４５ｃｂ、Ｚ−ＨＦＯ−１３３６ｍｚｚ、Ｅ−ＨＦＯ−１３３６ｍｚｚ、ＨＦＯ−１２３３ｚｄ、及びそれらのうちの２つ以上の組み合わせから選択される、実施形態Ｄ１〜Ｄ６のいずれかに記載のパワーサイクルシステム。
【０２４７】
実施形態Ｄ８：該少なくとも１つの冷媒が、ＨＦＯ−１２３４ｙｆを含む、実施形態Ｄ１〜Ｄ７のいずれかに記載のパワーサイクルシステム。
【０２４８】
実施形態Ｄ９：該少なくとも１つの冷媒が、トランス−ＨＦＯ−１２３４ｚｅを含む、実施形態Ｄ１〜Ｄ８のいずれかに記載のパワーサイクルシステム。
【０２４９】
実施形態Ｄ１０：該少なくとも１つの可燃性化合物が、ＨＦＣ−３２を含む、実施形態Ｄ１〜Ｄ９のいずれかに記載のパワーサイクルシステム。
【０２５０】
実施形態Ｄ１１：該少なくとも１つの化合物が、ＨＦＣ−１５２ａを含む、実施形態Ｄ１〜Ｄ１０のいずれかに記載のパワーサイクルシステム。
【０２５１】
実施形態Ｄ１２：該少なくとも１つの冷媒が、ＨＦＣ−１３４を含む、実施形態Ｄ１〜Ｄ１１のいずれかに記載のパワーサイクル。
【０２５２】
実施形態Ｄ１３：該少なくとも１つの冷媒が、Ｅ−ＨＦＯ−１３３６ｍｚｚ又はＺ−ＨＦＯ−１３３６ｍｚｚを含む、実施形態Ｄ１〜Ｄ１２のいずれかに記載のパワーサイクル。
【０２５３】
実施形態Ｄ１４：該少なくとも１つの冷媒が、Ｅ−ＨＣＦＯ−１２３３ｚｄ又はＺ−ＨＣＦＯ−１２３３ｚｄを含む、実施形態Ｄ１〜Ｄ１３のいずれかに記載のパワーサイクル。
【０２５４】
実施形態Ｄ１５：該ペルフルオロポリエーテルが、４０℃で約５〜約１０００ｍｍ2／ｓ（約５〜約１０００ｃＳｔ）の範囲の粘度を有する、実施形態Ｄ１〜Ｄ１４のいずれかに記載のパワーサイクルシステム。
【０２５５】
実施形態Ｄ１６：該ペルフルオロポリエーテルが、４０℃で約２０〜約１００ｍｍ2／ｓ（約２０〜約１００ｃＳｔ）の範囲の粘度を有する、実施形態Ｄ１〜Ｄ１５のいずれかに記載のパワーサイクルシステム。
【０２５６】
実施形態Ｄ１７：該ペルフルオロポリエーテルが、４０℃で約２０〜約８０ｍｍ2／ｓ（約２０〜約８０ｃＳｔ）の範囲の粘度を有する、実施形態Ｄ１〜Ｄ１６のいずれかに記載のパワーサイクルシステム。
【０２５７】
実施形態Ｄ１８：該ペルフルオロポリエーテルが、官能化されていない、実施形態Ｄ１〜Ｄ１７のいずれかに記載のパワーサイクルシステム。
【０２５８】
実施形態Ｄ１９：該ペルフルオロポリエーテルの末端基のうちの少なくとも１つが、エステル、ヒドロキシル、アミン、アミド、シアノ、カルボン酸、及びスルホン酸からなる群から選択される官能化された基である、実施形態Ｄ１〜Ｄ１８のいずれかに記載のパワーサイクルシステム。
【０２５９】
実施形態Ｄ２０：該ペルフルオロポリエーテルの末端基のうちの少なくとも１つが、カルボン酸である、実施形態Ｄ１〜Ｄ１９のいずれかに記載のパワーサイクルシステム。
【０２６０】
実施形態Ｄ２１：冷媒対潤滑剤の比率が、９９：１〜１：９９の範囲である、実施形態Ｄ１〜Ｄ２０のいずれかに記載のパワーサイクルシステム。
【０２６１】
実施形態Ｄ２２：ペルフルオロポリエーテル対非フッ化潤滑剤の比率が、約５：９５〜９９：１の範囲である、実施形態Ｄ１〜Ｄ２１のいずれかに記載のパワーサイクルシステム。
【０２６２】
実施形態Ｄ２３：該非フッ化潤滑剤が、鉱油、アルキルベンゼン、ポリアルファオレフィン、ポリオールエステル、ポリアルキレングリコール、ポリビニルエーテル、ポリカーボネート、シリコーン、及びそれらのうちの２つ以上の組み合わせからなる群から選択される、実施形態Ｄ１〜Ｄ２２のいずれかに記載のパワーサイクルシステム。
【０２６３】
実施形態Ｄ２４：該非フッ化潤滑剤が、ポリアルキレングリコールである、実施形態Ｄ１〜Ｄ２３のいずれかに記載のパワーサイクルシステム。
【０２６４】
実施形態Ｄ２５：該非フッ化潤滑剤が、ポリオールエステルである、実施形態Ｄ１〜Ｄ２４のいずれかに記載のパワーサイクルシステム。
【０２６５】
実施形態Ｄ２６：該非フッ化潤滑剤が、ポリビニルエーテルである、実施形態Ｄ１〜Ｄ２５のいずれかに記載のパワーサイクルシステム。
【０２６６】
実施形態Ｄ２７：該冷媒組成物が、該組成の範囲にわたって且つ約−４０℃〜約＋２００℃の温度の範囲にわたって単一液相を有する、実施形態Ｄ１〜Ｄ２６のいずれかに記載のパワーサイクルシステム。
【０２６７】
実施形態Ｄ２８：該冷媒組成物が、該組成の範囲にわたって且つ約５℃〜約２５℃の温度の範囲にわたって単一液相を有する、実施形態Ｄ１〜Ｄ２７のいずれかに記載のパワーサイクルシステム。
【０２６８】
実施形態Ｄ２９：該冷媒組成物が、該組成の範囲にわたって且つ約５℃〜約２５℃の温度の範囲にわたって単一液相を有する、実施形態Ｄ１〜Ｄ２８のいずれかに記載のパワーサイクルシステム。
【０２６９】
実施形態Ｄ３０：ペルフルオロポリエーテル対非フッ化潤滑剤の比率が、約５：９５〜２０：８０の範囲である、実施形態Ｄ１〜Ｄ２９のいずれかに記載のパワーサイクルシステム。
【国際調査報告】
2016522845.tif 000026
2016522845.tif 000027
2016522845.tif 000028